(57)【要約】  ３Ｄ画像表示装置として使用可能なプラズマディスプレイ装置において、安定に放電を発生させて品質の高い２Ｄ画像および３Ｄ画像を表示する。そのために、２Ｄ画像信号にもとづくフィールドを発生してプラズマディスプレイパネルに２Ｄ画像を表示する２Ｄ駆動と、右目用画像信号を表示するフィールドと左目用画像信号を表示するフィールドとを交互に繰り返してプラズマディスプレイパネルに３Ｄ画像を表示する３Ｄ駆動とのいずれかによってプラズマディスプレイパネルを駆動する。このとき、フィールドは、所定の負の電圧に向かって下降する下り傾斜波形電圧を走査電極に印加する選択初期化期間と、書込み期間と、維持期間とを有するサブフィールドを有する。そして、２Ｄ駆動時の選択初期化期間において維持電極に印加する電圧を、３Ｄ駆動時の選択初期化期間において維持電極に印加する電圧よりも高い電圧に設定する。
2012102042.tif 000002
【特許請求の範囲】
【請求項１】
走査電極と維持電極とデータ電極とを有する放電セルを複数配列したプラズマディスプレイパネルを、
２Ｄ画像信号にもとづくフィールドを発生して前記プラズマディスプレイパネルに２Ｄ画像を表示する２Ｄ駆動と、
右目用画像信号を表示するフィールドと左目用画像信号を表示するフィールドとを交互に繰り返して前記プラズマディスプレイパネルに３Ｄ画像を表示する３Ｄ駆動とのいずれかによって駆動するプラズマディスプレイパネルの駆動方法であって、
前記フィールドは、所定の負の電圧に向かって下降する下り傾斜波形電圧を前記走査電極に印加する選択初期化期間と、書込み期間と、維持期間とを有するサブフィールドを有し、
前記２Ｄ駆動時の前記選択初期化期間において前記維持電極に印加する電圧を、前記３Ｄ駆動時の前記選択初期化期間において前記維持電極に印加する電圧よりも高い電圧に設定する
ことを特徴とするプラズマディスプレイパネルの駆動方法。
【請求項２】
前記２Ｄ駆動時の前記選択初期化期間において、前記下り傾斜波形電圧を前記走査電極に印加中に、前記維持電極をハイインピーダンス状態にする
ことを特徴とする請求項１に記載のプラズマディスプレイパネルの駆動方法。
【請求項３】
前記２Ｄ駆動時の前記選択初期化期間において前記維持電極に印加する電圧を、前記維持期間に発生する維持パルスの電圧と等しい電圧に設定する
ことを特徴とする請求項１に記載のプラズマディスプレイパネルの駆動方法。
【請求項４】
走査電極と維持電極とデータ電極とを有する放電セルを複数配列したプラズマディスプレイパネルと、
前記プラズマディスプレイパネルを駆動する駆動回路とを有するプラズマディスプレイ装置であって、
前記駆動回路は、
２Ｄ画像信号にもとづくフィールドを発生して前記プラズマディスプレイパネルに２Ｄ画像を表示する２Ｄ駆動と、
右目用画像信号を表示するフィールドと左目用画像信号を表示するフィールドとを交互に繰り返して前記プラズマディスプレイパネルに３Ｄ画像を表示する３Ｄ駆動とのいずれかによって前記プラズマディスプレイパネルを駆動し、
前記フィールドに、所定の負の電圧に向かって下降する下り傾斜波形電圧を前記走査電極に印加する選択初期化期間と、書込み期間と、維持期間とを有するサブフィールドを備え、
前記２Ｄ駆動時の前記選択初期化期間において前記維持電極に印加する電圧を、前記３Ｄ駆動時の前記選択初期化期間において前記維持電極に印加する電圧よりも高い電圧に設定する
ことを特徴とするプラズマディスプレイ装置。
【請求項５】
前記駆動回路は、
前記２Ｄ駆動時の前記選択初期化期間において、前記下り傾斜波形電圧を前記走査電極に印加中に、前記維持電極をハイインピーダンス状態にする
ことを特徴とする請求項４に記載のプラズマディスプレイ装置。
【請求項６】
前記駆動回路は、
前記２Ｄ駆動時の前記選択初期化期間において前記維持電極に印加する電圧を、前記維持期間に発生する維持パルスの電圧と等しい電圧に設定する
ことを特徴とする請求項４に記載のプラズマディスプレイ装置。
【発明の詳細な説明】
【技術分野】
【０００１】
本発明は、交流面放電型のプラズマディスプレイパネルを用いたプラズマディスプレイ装置およびプラズマディスプレイパネルの駆動方法に関する。
【背景技術】
【０００２】
プラズマディスプレイパネル（以下、「パネル」と略記する）として代表的な交流面放電型パネルは、対向配置された前面基板と背面基板との間に多数の放電セルが形成されている。【０００３】
前面基板は、１対の走査電極と維持電極とからなる表示電極対が前面側のガラス基板上に互いに平行に複数対形成されている。そして、それら表示電極対を覆うように誘電体層および保護層が形成されている。【０００４】
背面基板は、背面側のガラス基板上に複数の平行なデータ電極が形成され、それらデータ電極を覆うように誘電体層が形成され、さらにその上にデータ電極と平行に複数の隔壁が形成されている。そして、誘電体層の表面と隔壁の側面とに蛍光体層が形成されている。【０００５】
そして、表示電極対とデータ電極とが立体交差するように、前面基板と背面基板とを対向配置して密封する。密封された内部の放電空間には、例えば分圧比で５％のキセノンを含む放電ガスを封入し、表示電極対とデータ電極とが対向する部分に放電セルを形成する。このような構成のパネルにおいて、各放電セル内でガス放電により紫外線を発生し、この紫外線で赤色（Ｒ）、緑色（Ｇ）および青色（Ｂ）の各色の蛍光体を励起発光してカラーの画像表示を行う。【０００６】
放電セルにおける発光と非発光との２値制御を組み合わせてパネルの画像表示領域に画像を表示する方法としては一般にサブフィールド法が用いられている。【０００７】
サブフィールド法では、１フィールドを、発光輝度が互いに異なる複数のサブフィールドに分割する。そして、各放電セルでは、所望の階調値に応じた組合せで各サブフィールドの発光・非発光を制御する。これにより１フィールドの発光輝度を所望の階調値にして各放電セルを発光し、パネルの画像表示領域に、様々な階調値の組合せで構成された画像を表示する。【０００８】
サブフィールド法において、各サブフィールドは、初期化期間、書込み期間および維持期間を有する。【０００９】
初期化期間では、各走査電極に初期化波形を印加し、各放電セルで初期化放電を発生する初期化動作を行う。これにより、各放電セルにおいて、続く書込み動作のために必要な壁電荷を形成するとともに、書込み放電を安定して発生するためのプライミング粒子（放電を発生させるための励起粒子）を発生する。【００１０】
書込み期間では、走査電極に走査パルスを順次印加するとともに、データ電極には表示すべき画像信号にもとづき選択的に書込みパルスを印加する。これにより、発光を行うべき放電セルの走査電極とデータ電極との間に書込み放電を発生し、その放電セル内に壁電荷を形成する（以下、これらの動作を総称して「書込み」とも記す）。【００１１】
維持期間では、サブフィールド毎に定められた輝度重みにもとづく数の維持パルスを走査電極と維持電極とからなる表示電極対に交互に印加する。これにより、書込み放電を発生した放電セルで維持放電を発生し、その放電セルの蛍光体層を発光させる（以下、放電セルを維持放電により発光させることを「点灯」、発光させないことを「非点灯」とも記す）。これにより、各サブフィールドにおいて、各放電セルを、輝度重みに応じた輝度で発光させる。このようにして、パネルの各放電セルを画像信号の階調値に応じた輝度で発光させて、パネルの画像表示領域に画像を表示する。【００１２】
立体視用の画像の表示する３次元（３  Ｄｉｍｅｎｓｉｏｎ：以下「３Ｄ」とも記す）の画像表示装置としてプラズマディスプレイ装置を応用することが検討されている。【００１３】
立体視用の画像（３Ｄ画像）は右目用画像と左目用画像とで構成される。そして、３Ｄの画像表示装置であるプラズマディスプレイ装置では、右目用画像を表示するフィールドと左目用画像を表示するフィールドとをパネルに交互に表示する。そして、使用者は、シャッタ眼鏡と呼ばれる特殊な眼鏡を用いてその画像を観測する。【００１４】
シャッタ眼鏡は、右目用のシャッタと左目用のシャッタとを備えている。シャッタ眼鏡は、パネルに右目用画像が表示されている期間は右目用のシャッタを開く（可視光を透過する状態のこと）とともに左目用のシャッタを閉じ（可視光を遮断する状態のこと）、左目用画像が表示されている期間は左目用のシャッタを開くとともに右目用のシャッタを閉じる。【００１５】
これにより、使用者は、右目用画像を右目だけで観測し、左目用画像を左目だけで観測することができるので、表示画像を立体視することができる。【００１６】
それぞれのフィールドの最初のサブフィールドの書込み期間の開始に同期してシャッタ眼鏡のシャッタを開閉する方法が開示されている（例えば、特許文献１参照）。【００１７】
このように、３Ｄプラズマディスプレイ装置として用いられるプラズマディスプレイ装置においては、１枚の３Ｄ画像を表示するために、１枚の右目用画像と１枚の左目用画像との２枚の画像を表示しなければならない。そのため、シャッタ眼鏡を通して３Ｄ画像を観測する使用者には、１秒間にパネルに表示される画像の数が、１秒間のフィールドの数の半分の数として観測される。【００１８】
例えば、パネルに表示される画像のフィールド周波数（１秒間に発生するフィールドの数）が６０Ｈｚのとき、その画像が３Ｄ画像ではない通常の画像（２Ｄ画像）であれば、１秒間に６０枚の２Ｄ画像が表示されるが、その画像が３Ｄ画像であれば、１秒間に３０枚の３Ｄ画像が表示されることになる。【００１９】
したがって、１秒間に６０枚の３Ｄ画像を表示するためには、フィールド周波数を６０Ｈｚの２倍の１２０Ｈｚに設定しなければならない。その場合、１枚の右目用画像または１枚の左目用画像を表示するために使用できる時間は、１枚の２Ｄ画像を表示するために使用できる時間の２分の１に制限される。【００２０】
パネルで用いられている蛍光体は残光を発生する。残光とは、放電セルにおいて放電が終了した後も発光が継続する現象のことである。そして、維持放電が終了した後も数ｍｓｅｃの間は残光が持続するという特性を有する蛍光体材料も存在する。以下、残光が十分に低下するまでの時間のことを「残光時間」と記す。【００２１】
そのため、例えば、右目用画像を表示する期間が終了した後も、しばらくの期間は右目用画像が残像としてパネルに表示されることがある。なお、残像とは、１枚の画像を表示する期間が終了した後も、残光により、その画像がパネルに表示される現象のことである。【００２２】
そして、右目用画像の残像が消える前に左目用画像をパネルに表示すると、左目用画像に右目用画像が混じる現象が生じる。同様に、左目用画像の残像が消える前に右目用画像をパネルに表示すると、右目用画像に左目用画像が混じる現象が生じる。以下、このような現象を「クロストーク」と記す。そして、パネルに３Ｄ画像を表示するときにクロストークが発生すると、使用者においては立体視が阻害されることがある。【００２３】
したがって、パネルに３Ｄ画像を表示するときには、１枚の３Ｄ画像を表示するために１枚の右目用画像と１枚の左目用画像とを表示する必要があることや、クロストークの低減等を考慮して、１フィールドを構成するサブフィールドの数や各サブフィールドの輝度重みを設定する必要がある。以下、１フィールドを構成するサブフィールドの数や各サブフィールドの輝度重み等のことを「サブフィールド構成」と呼称する。【００２４】
一方、３Ｄプラズマディスプレイ装置では、３Ｄ画像だけでなく、２Ｄ画像も表示できることが望まれる。そして、２Ｄ画像をパネルに表示するときには、１フィールドで１枚の２Ｄ画像をパネルに表示することができ、また、クロストークを考慮する必要がないため、表示画像における階調の滑らかさ等を考慮したサブフィールド構成にすることが望ましい。【００２５】
そのため、３Ｄプラズマディスプレイ装置においては、パネルに３Ｄ画像を表示するときと２Ｄ画像を表示するときとでサブフィールド構成を変更することがある。しかしながら、パネルに３Ｄ画像および２Ｄ画像のいずれの画像を表示するときであっても、安定に放電を発生し、高い画像表示品質を保つことが望まれている。
【先行技術文献】
【特許文献】
【００２６】
【特許文献１】特開２０００−１１２４２８号公報
【発明の概要】
【００２７】
本発明は、走査電極と維持電極とデータ電極とを有する放電セルを複数配列したパネルを、２Ｄ画像信号にもとづくフィールドを発生してパネルに２Ｄ画像を表示する２Ｄ駆動と、右目用画像信号を表示するフィールドと左目用画像信号を表示するフィールドとを交互に繰り返してパネルに３Ｄ画像を表示する３Ｄ駆動とのいずれかによって駆動するパネルの駆動方法である。この駆動方法において、フィールドは、所定の負の電圧に向かって下降する下り傾斜波形電圧を走査電極に印加する選択初期化期間と、書込み期間と、維持期間とを有するサブフィールドを有する。そして、２Ｄ駆動時の選択初期化期間において維持電極に印加する電圧を、３Ｄ駆動時の選択初期化期間において維持電極に印加する電圧よりも高い電圧に設定する。
【００２８】
これにより、３Ｄ画像表示装置として使用可能なプラズマディスプレイ装置において、安定に放電を発生させて品質の高い２Ｄ画像および３Ｄ画像を表示することが可能になる。
【００２９】
また、この駆動方法では、２Ｄ駆動時の選択初期化期間において、下り傾斜波形電圧を走査電極に印加中に、維持電極をハイインピーダンス状態にしてもよい。
【００３０】
また、この駆動方法では、２Ｄ駆動時の選択初期化期間において維持電極に印加する電圧を、維持期間に発生する維持パルスの電圧と等しい電圧に設定してもよい。
【００３１】
また、本発明は、走査電極と維持電極とデータ電極とを有する放電セルを複数配列したパネルと、パネルを駆動する駆動回路とを有するプラズマディスプレイ装置である。このプラズマディスプレイ装置において、駆動回路は、２Ｄ画像信号にもとづくフィールドを発生してパネルに２Ｄ画像を表示する２Ｄ駆動と、右目用画像信号を表示するフィールドと左目用画像信号を表示するフィールドとを交互に繰り返してパネルに３Ｄ画像を表示する３Ｄ駆動とのいずれかによってパネルを駆動する。そして、フィールドに、所定の負の電圧に向かって下降する下り傾斜波形電圧を走査電極に印加する選択初期化期間と、書込み期間と、維持期間とを有するサブフィールドを有する。そして、駆動回路は、２Ｄ駆動時の選択初期化期間において維持電極に印加する電圧を、３Ｄ駆動時の選択初期化期間において維持電極に印加する電圧よりも高い電圧に設定する。
【００３２】
これにより、３Ｄ画像表示装置として使用可能なプラズマディスプレイ装置において、安定に放電を発生させて品質の高い２Ｄ画像および３Ｄ画像を表示することが可能になる。
【００３３】
また、本発明のプラズマディスプレイ装置において、駆動回路は、２Ｄ駆動時の選択初期化期間において、下り傾斜波形電圧を走査電極に印加中に、維持電極をハイインピーダンス状態にしてもよい。
【００３４】
また、本発明のプラズマディスプレイ装置において、駆動回路は、２Ｄ駆動時の選択初期化期間において維持電極に印加する電圧を、維持期間に発生する維持パルスの電圧と等しい電圧に設定してもよい。
【図面の簡単な説明】
【００３５】
【図１】図１は、本発明の一実施の形態におけるプラズマディスプレイ装置に用いるパネルの構造を示す分解斜視図である。
【図２】図２は、本発明の一実施の形態におけるプラズマディスプレイ装置に用いるパネルの電極配列図である。
【図３】図３は、本発明の一実施の形態におけるプラズマディスプレイ装置を構成する回路ブロックおよびプラズマディスプレイシステムの一例を概略的に示す図である。
【図４】図４は、本発明の一実施の形態のプラズマディスプレイ装置において３Ｄ画像を表示する際にパネルの各電極に印加する駆動電圧波形を概略的に示す図である。
【図５】図５は、本発明の一実施の形態のプラズマディスプレイ装置において３Ｄ画像を表示する際にパネル１０の各電極に印加する駆動電圧波形およびシャッタ眼鏡の開閉動作を概略的に示す図である。
【図６】図６は、本発明の一実施の形態のプラズマディスプレイ装置において２Ｄ画像を表示する際にパネルの各電極に印加する駆動電圧波形を概略的に示す図である。
【図７Ａ】図７Ａは、本発明の一実施の形態におけるプラズマディスプレイ装置において３Ｄ画像を表示する際に用いるコーディングテーブルの一例を示す図である。
【図７Ｂ】図７Ｂは、本発明の一実施の形態におけるプラズマディスプレイ装置において２Ｄ画像を表示する際に用いるコーディングテーブルの一例を示す図である。
【図８】図８は、本発明の一実施の形態におけるプラズマディスプレイ装置の走査電極駆動回路の構成を概略的に示す回路図である。
【図９】図９は、本発明の一実施の形態におけるプラズマディスプレイ装置の維持電極駆動回路の構成を概略的に示す回路図である。
【図１０】図１０は、本発明の一実施の形態におけるプラズマディスプレイ装置のデータ電極駆動回路の構成を概略的に示す回路図である。
【発明を実施するための形態】
【００３６】
以下、本発明の実施の形態におけるプラズマディスプレイ装置について、図面を用いて説明する。
【００３７】
（実施の形態）
図１は、本発明の一実施の形態におけるプラズマディスプレイ装置に用いるパネル１０の構造を示す分解斜視図である。
【００３８】
ガラス製の前面基板２１上には、走査電極２２と維持電極２３とからなる表示電極対２４が複数形成されている。そして、走査電極２２と維持電極２３とを覆うように誘電体層２５が形成され、その誘電体層２５上に保護層２６が形成されている。
【００３９】
この保護層２６は、放電セルにおける放電開始電圧を下げるために、パネルの材料として使用実績があり、ネオン（Ｎｅ）およびキセノン（Ｘｅ）ガスを封入した場合に２次電子放出係数が大きく耐久性に優れた酸化マグネシウム（ＭｇＯ）を主成分とする材料で形成されている。
【００４０】
保護層２６は、一つの層で構成されていてもよく、あるいは複数の層で構成されていてもよい。また、層の上に粒子が存在する構成であってもよい。
【００４１】
背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）に発光する蛍光体層３５Ｒ、緑色（Ｇ）に発光する蛍光体層３５Ｇ、および青色（Ｂ）に発光する蛍光体層３５Ｂが設けられている。以下、蛍光体層３５Ｒ、蛍光体層３５Ｇ、蛍光体層３５Ｂをまとめて蛍光体層３５とも記す。
【００４２】
これら前面基板２１と背面基板３１とを、微小な空間を挟んで表示電極対２４とデータ電極３２とが交差するように対向配置し、前面基板２１と背面基板３１との間隙に放電空間を設ける。そして、その外周部をガラスフリット等の封着材によって封着する。その放電空間には、例えばネオンとキセノンの混合ガスを放電ガスとして封入する。
【００４３】
放電空間は隔壁３４によって複数の区画に仕切られており、表示電極対２４とデータ電極３２とが交差する部分に、画素を構成する発光素子である放電セルが形成される。
【００４４】
そして、これらの放電セルで放電を発生し、放電セルの蛍光体層３５を発光（放電セルを点灯）することにより、パネル１０にカラーの画像を表示する。
【００４５】
なお、パネル１０においては、表示電極対２４が延伸する方向に配列された連続する３つの放電セルで１つの画素を構成する。この３つの放電セルとは、蛍光体層３５Ｒを有し赤色（Ｒ）に発光する放電セル（赤の放電セル）と、蛍光体層３５Ｇを有し緑色（Ｇ）に発光する放電セル（緑の放電セル）と、蛍光体層３５Ｂを有し青色（Ｂ）に発光する放電セル（青の放電セル）である。
【００４６】
なお、パネル１０の構造は上述したものに限られるわけではなく、例えばストライプ状の隔壁を備えたものであってもよい。
【００４７】
図２は、本発明の一実施の形態におけるプラズマディスプレイ装置に用いるパネル１０の電極配列図である。
【００４８】
パネル１０には、水平方向（行方向、ライン方向）に延長されたｎ本の走査電極ＳＣ１〜走査電極ＳＣｎ（図１の走査電極２２）およびｎ本の維持電極ＳＵ１〜維持電極ＳＵｎ（図１の維持電極２３）が配列され、垂直方向（列方向）に延長されたｍ本のデータ電極Ｄ１〜データ電極Ｄｍ（図１のデータ電極３２）が配列されている。
【００４９】
そして、１対の走査電極ＳＣｉ（ｉ＝１〜ｎ）および維持電極ＳＵｉと１つのデータ電極Ｄｊ（ｊ＝１〜ｍ）とが交差した領域に発光素子としての放電セルが１つ形成される。すなわち、１対の表示電極対２４上には、ｍ個の放電セルが形成され、ｍ／３個の画素が形成される。そして、放電セルは放電空間内にｍ×ｎ個形成され、ｍ×ｎ個の放電セルが形成された領域がパネル１０の画像表示領域となる。例えば、画素数が１９２０×１０８０個のパネルでは、ｍ＝１９２０×３となり、ｎ＝１０８０となる。
【００５０】
例えば、データ電極Ｄｐ（ｐ＝３×ｑ−２  :  ｑはｍ／３以下の正の整数）を有する放電セルには赤の蛍光体が蛍光体層３５Ｒとして塗布され、データ電極Ｄｐ＋１を有する放電セルには緑の蛍光体が蛍光体層３５Ｇとして塗布され、データ電極Ｄｐ＋２を有する放電セルには青の蛍光体が蛍光体層３５Ｂとして塗布されている。
【００５１】
次に、本実施の形態における３Ｄプラズマディスプレイ装置の構成について説明する。
【００５２】
図３は、本発明の一実施の形態におけるプラズマディスプレイ装置４０を構成する回路ブロックおよびプラズマディスプレイシステムの一例を概略的に示す図である。
【００５３】
本実施の形態に示すプラズマディスプレイシステムは、プラズマディスプレイ装置４０とシャッタ眼鏡５０とを構成要素に含む。
【００５４】
プラズマディスプレイ装置４０は、パネル１０、およびパネル１０を駆動する駆動回路を備えている。駆動回路は、画像信号処理回路４１、データ電極駆動回路４２、走査電極駆動回路４３、維持電極駆動回路４４、タイミング発生回路４５、および各回路ブロックに必要な電源を供給する電源回路（図示せず）を備えている。
【００５５】
駆動回路は、３Ｄ画像信号にもとづき右目用フィールドと左目用フィールドとを交互に繰り返してパネル１０に３Ｄ画像を表示する３Ｄ駆動と、右目用、左目用の区別がない２Ｄ画像信号にもとづきパネル１０に２Ｄ画像を表示する２Ｄ駆動とのいずれかでパネル１０を駆動する。
【００５６】
また、プラズマディスプレイ装置４０は、使用者が使用するシャッタ眼鏡５０の右目用シャッタ５２Ｌおよび左目用シャッタ５２Ｌの開閉を制御するシャッタ開閉用の制御信号（以下、「シャッタ制御信号」とも記す）をシャッタ眼鏡５０に出力する制御信号出力部４６を備えている。シャッタ眼鏡５０は、３Ｄ画像をパネル１０に表示するときに使用者が使用するものであり、使用者はシャッタ眼鏡５０を通して３Ｄ画像を観賞することで３Ｄ画像を立体視することができる。
【００５７】
画像信号処理回路４１に入力される画像信号は、３Ｄ画像信号と２Ｄ画像信号とのいずれかである。３Ｄ画像信号および２Ｄ画像信号のそれぞれは、赤の画像信号、緑の画像信号、青の画像信号を有する。
【００５８】
画像信号処理回路４１は、赤の画像信号、緑の画像信号、青の画像信号にもとづき、各放電セルに赤、緑、青の各階調値（１フィールドで表現される階調値）を設定する。なお、画像信号処理回路４１は、入力される画像信号が輝度信号（Ｙ信号）および彩度信号（Ｃ信号、またはＲ−Ｙ信号およびＢ−Ｙ信号、またはｕ信号およびｖ信号等）を含むときには、その輝度信号および彩度信号にもとづき赤の画像信号、緑の画像信号、青の画像信号を算出し、その後、各放電セルに赤、緑、青の各階調値を設定する。そして、各放電セルに設定した赤、緑、青の階調値を、サブフィールド毎の点灯・非点灯を示す画像データ（発光・非発光をデジタル信号の「１」、「０」に対応させたデータのこと）に変換し、その画像データを出力する。すなわち、画像信号処理回路４１は、赤の画像信号、緑の画像信号、青の画像信号を、赤の画像データ、緑の画像データ、青の画像データに変換して出力する。
【００５９】
また、プラズマディスプレイ装置４０に入力される画像信号が、右目用画像信号と左目用画像信号とを有する３Ｄ画像信号であり、その３Ｄ画像信号をパネル１０に表示する際には、右目用画像信号と左目用画像信号とがフィールド毎に交互に画像信号処理回路４１に入力される。したがって、画像信号処理回路４１は、右目用画像信号を右目用画像データ（赤の右目用画像データ、緑の右目用画像データ、青の右目用画像データ）に変換し、左目用画像信号を左目用画像データ（赤の左目用画像データ、緑の左目用画像データ、青の左目用画像データ）に変換して出力する。
【００６０】
タイミング発生回路４５は、入力信号にもとづき２Ｄ画像信号および３Ｄ画像信号のいずれがプラズマディスプレイ装置４０に入力されているのかを判別する。そして、その判別結果にもとづき、２Ｄ画像または３Ｄ画像をパネル１０に表示するために、各駆動回路を制御する制御信号を発生する。
【００６１】
具体的には、タイミング発生回路４５は、入力信号のうちの水平同期信号および垂直同期信号の周波数からプラズマディスプレイ装置４０への入力信号が３Ｄ画像信号なのか２Ｄ画像信号なのかを判断する。例えば、水平同期信号が３３．７５ｋＨｚ、垂直同期信号が６０Ｈｚであれば入力信号を２Ｄ画像信号と判断し、水平同期信号が６７．５ｋＨｚ、垂直同期信号が１２０Ｈｚであれば入力信号を３Ｄ画像信号と判断する。そして、水平同期信号および垂直同期信号にもとづき、各回路ブロックの動作を制御する各種の制御信号を発生する。そして、発生した制御信号をそれぞれの回路ブロック（データ電極駆動回路４２、走査電極駆動回路４３、維持電極駆動回路４４、および画像信号処理回路４１等）へ供給する。
【００６２】
また、タイミング発生回路４５は、３Ｄ画像をパネル１０に表示する際に、シャッタ眼鏡５０の右目用シャッタ５２Ｌおよび左目用シャッタ５２Ｌの開閉を制御するシャッタ開閉用の制御信号を制御信号出力部４６に出力する。なお、タイミング発生回路４５は、シャッタ眼鏡５０のシャッタを開く（可視光を透過する状態にする）ときにはシャッタ開閉用の制御信号をオン（「１」）にし、シャッタ眼鏡５０のシャッタを閉じる（可視光を遮断する状態にする）ときにはシャッタ開閉用の制御信号をオフ（「０」）にする。
【００６３】
なお、シャッタ開閉用の制御信号は、パネル１０に３Ｄ画像の右目用画像信号にもとづく右目用フィールドを表示するときにオンとなり、左目用画像信号にもとづく左目用フィールドを表示するときにオフとなる右目シャッタ開閉用制御信号（右目用制御信号）と、３Ｄ画像の左目用画像信号にもとづく左目用フィールドを表示するときにオンとなり、右目用画像信号にもとづく右目用フィールドを表示するときにオフとなる左目シャッタ開閉用制御信号（左目用制御信号）とからなる。
【００６４】
なお、本実施の形態において、水平同期信号および垂直同期信号の周波数は、何ら上述した数値に限定されるものではない。また、入力信号に２Ｄ画像信号と３Ｄ画像信号とを判別するための判別信号が付加されているときには、タイミング信号発生回路４５は、その判別信号にもとづき、２Ｄ画像信号および３Ｄ画像信号のいずれが入力されているのかを判別する構成であってもよい。
【００６５】
走査電極駆動回路４３は、傾斜波形発生部、維持パルス発生部、走査パルス発生部（図３には示さず）を備え、タイミング発生回路４５から供給されるタイミング信号にもとづいて駆動電圧波形を作成し、走査電極ＳＣ１〜走査電極ＳＣｎのそれぞれに印加する。傾斜波形発生部は、タイミング信号にもとづき、初期化期間に走査電極ＳＣ１〜走査電極ＳＣｎに印加する強制初期化波形および選択初期化波形を発生する。維持パルス発生部は、タイミング信号にもとづき、維持期間に走査電極ＳＣ１〜走査電極ＳＣｎに印加する維持パルスを発生する。走査パルス発生部は、複数の走査電極駆動ＩＣ（走査ＩＣ）を備え、タイミング信号にもとづき、書込み期間に走査電極ＳＣ１〜走査電極ＳＣｎに印加する走査パルスを発生する。
【００６６】
維持電極駆動回路４４は、維持パルス発生部、電圧Ｖｅを発生する回路（図３には示さず）を備え、タイミング発生回路４５から供給されるタイミング信号にもとづいて駆動電圧波形を作成し、維持電極ＳＵ１〜維持電極ＳＵｎのそれぞれに印加する。維持期間では、タイミング信号にもとづいて維持パルスを発生し、維持電極ＳＵ１〜維持電極ＳＵｎに印加する。初期化期間および書込み期間では、タイミング信号にもとづいて電圧Ｖｅを発生し、維持電極ＳＵ１〜維持電極ＳＵｎに印加する。
【００６７】
データ電極駆動回路４２は、２Ｄ画像信号にもとづく各色の画像データ、または、３Ｄ画像信号にもとづく各色の右目用画像データと左目用画像データと、タイミング発生回路４５から供給されるタイミング信号とにもとづき、各データ電極Ｄ１〜データ電極Ｄｍに対応する書込みパルスを発生する。そして、データ電極駆動回路４２は、書込み期間に、その書込みパルスを各データ電極Ｄ１〜データ電極Ｄｍに印加する。
【００６８】
制御信号出力部４６は、ＬＥＤ（Ｌｉｇｈｔ  Ｅｍｉｔｔｉｎｇ  Ｄｉｏｄｅ）等の発光素子を有する。そして、シャッタ眼鏡５０が有する右目用シャッタ５２Ｌおよび左目用シャッタ５２Ｌの開閉を制御するシャッタ制御信号を出力する。具体的には、シャッタ制御信号を、例えば赤外線の信号に変換してシャッタ眼鏡５０に供給する。
【００６９】
シャッタ眼鏡５０は、制御信号出力部４６から出力される信号（例えば赤外線の信号）を受信する信号受信部と（図示せず）、右目用シャッタ５２Ｒおよび左目用シャッタ５２Ｌとを有する。右目用シャッタ５２Ｒおよび左目用シャッタ５２Ｌは、それぞれ独立にシャッタの開閉が可能である。そして、シャッタ眼鏡５０は、制御信号出力部４６から供給されるシャッタ開閉用の制御信号にもとづいて右目用シャッタ５２Ｒおよび左目用シャッタ５２Ｌを開閉する。
【００７０】
右目用シャッタ５２Ｒは、右目用制御信号がオンのときには開き（可視光を透過し）、オフのときには閉じる（可視光を遮断する）。左目用シャッタ５２Ｌは、左目用制御信号がオンのときには開き（可視光を透過し）、オフのときには閉じる（可視光を遮断する）。
【００７１】
右目用シャッタ５２Ｒおよび左目用シャッタ５２Ｌは、例えば液晶を用いて構成することができる。ただし、本発明は、シャッタを構成する材料が何ら液晶に限定されるものではなく、可視光の遮断と透過とを高速に切り換えることができるものであればどのようなものであってもかまわない。
【００７２】
次に、パネル１０を駆動するための駆動電圧波形とその動作の概要について説明する。
【００７３】
本実施の形態におけるプラズマディスプレイ装置は、サブフィールド法によってパネル１０を駆動する。サブフィールド法では、画像信号の１フィールドを時間軸上で複数のサブフィールドに分割し、各サブフィールドに輝度重みをそれぞれ設定する。したがって、各フィールドは輝度重みが異なる複数のサブフィールドを有する。
【００７４】
そして、画像信号にもとづき、サブフィールド毎に各放電セルの発光・非発光を制御する。すなわち、画像信号にもとづき、発光するサブフィールドと非発光のサブフィールドとを組み合わせることによって、画像信号にもとづく複数の階調をパネル１０に表示する。
【００７５】
なお、本実施の形態において、プラズマディスプレイ装置に入力される画像信号は、２Ｄ画像信号、または３Ｄ画像信号であり、プラズマディスプレイ装置４０は、それぞれの画像信号に応じてパネル１０を駆動する。まず、３Ｄ画像信号がプラズマディスプレイ装置４０に入力されたときにパネル１０の各電極に印加する駆動電圧波形を説明する。次に、２Ｄ画像信号がプラズマディスプレイ装置４０に入力されたときにパネル１０の各電極に印加する駆動電圧波形を説明する。
【００７６】
３Ｄ画像信号は、右目用画像信号と左目用画像信号とをフィールド毎に交互に繰り返す立体視用の画像信号である。
【００７７】
そして、右目用画像信号をパネル１０に表示する右目用フィールドと、左目用画像信号をパネル１０に表示する左目用フィールドとを交互に繰り返し、パネル１０に右目用画像および左目用画像からなる立体視用の画像を表示する。それとともに、パネル１０に表示されるその立体視用の画像（３Ｄ画像）を、右目用フィールドおよび左目用フィールドに同期して右目用シャッタおよび左目用シャッタをそれぞれ開閉するシャッタ眼鏡を通して使用者が観測する。これにより、使用者は、パネル１０に表示される３Ｄ画像を立体視することができる。
【００７８】
右目用フィールドと左目用フィールドとでは表示する画像信号が異なるだけであり、１つのフィールドを構成するサブフィールドの数、各サブフィールドの輝度重み、サブフィールドの配列等、フィールドの構成は同じである。そこで、まず１つのフィールドの構成と各電極に印加する駆動電圧波形について説明する。
【００７９】
以下、「右目用」および「左目用」の区別が必要ない場合には、右目用フィールドおよび左目用フィールドを単に「フィールド」と略記する。また、右目用画像信号および左目用画像信号を単に「画像信号」と略記する。
【００８０】
なお、本実施の形態では、使用者に３Ｄ画像の動画像が滑らかに観測されるように、フィールド周波数（１秒間に発生するフィールドの数）を２Ｄ画像信号を表示するとき２倍（例えば、１２０Ｈｚ）に設定している。
【００８１】
各フィールドは複数のサブフィールドを有し、それぞれのサブフィールドは初期化期間Ｔｉ、書込み期間Ｔｗおよび維持期間Ｔｓを備える。
【００８２】
初期化期間Ｔｉでは、放電セルに初期化放電を発生し、続く書込み期間における書込み放電に必要な壁電荷を各電極上に形成する初期化動作を行う。
【００８３】
初期化動作には、直前のサブフィールドの動作にかかわらず全ての放電セルに強制的に初期化放電を発生する「強制初期化動作」と、直前のサブフィールドの書込み期間で書込み放電を発生した放電セルだけに選択的に初期化放電を発生する「選択初期化動作」とがある。強制初期化動作では、上昇する傾斜波形電圧および下降する傾斜波形電圧を走査電極２２に印加して、放電セルに初期化放電を発生する。
【００８４】
そして、１フィールドを構成する複数のサブフィールドのうち、１つのサブフィールドの初期化期間では全ての放電セルで強制初期化動作を行い、他のサブフィールドの初期化期間では全ての放電セルで選択初期化動作を行う。
【００８５】
以下、強制初期化動作を行う初期化期間Ｔｉを「強制初期化期間Ｔｉ１」と呼称し、強制初期化期間Ｔｉ１を有するサブフィールドを「強制初期化サブフィールド」と呼称する。また、選択初期化動作を行う初期化期間Ｔｉを「選択初期化期間Ｔｉ２」と呼称し、選択初期化期間Ｔｉ２を有するサブフィールドを「選択初期化サブフィールド」と呼称する。
【００８６】
なお、本実施の形態では、サブフィールドＳＦ１を強制初期化サブフィールドとし、他のサブフィールド（サブフィールドＳＦ２以降のサブフィールド）を選択初期化サブフィールドとする。しかし、本発明は、強制初期化サブフィールドとするサブフィールドおよび選択初期化サブフィールドとするサブフィールドが何ら上述したサブフィールドに限定されるものではない。また、画像信号等にもとづいてサブフィールド構成を切り換える構成であってもよい。
【００８７】
書込み期間では、走査電極２２に走査パルスを印加するとともにデータ電極３２に選択的に書込みパルスを印加し、発光するべき放電セルに選択的に書込み放電を発生する。そして、続く維持期間で維持放電を発生するための壁電荷をその放電セル内に形成する書込み動作を行う。
【００８８】
維持期間では、それぞれのサブフィールドに設定された輝度重みに所定の比例定数を乗じた数の維持パルスを走査電極２２および維持電極２３に交互に印加し、直前の書込み期間に書込み放電を発生した放電セルで維持放電を発生し、その放電セルを発光する維持動作を行う。この比例定数が輝度倍数である。
【００８９】
輝度重みとは、各サブフィールドで表示する輝度の大きさの比を表すものであり、各サブフィールドでは輝度重みに応じた数の維持パルスを維持期間に発生する。そのため、例えば、輝度重み「８」のサブフィールドは、輝度重み「１」のサブフィールドの約８倍の輝度で発光し、輝度重み「２」のサブフィールドの約４倍の輝度で発光する。したがって、例えば、輝度重み「８」のサブフィールドと輝度重み「２」のサブフィールドを発光すれば、階調値「１０」に相当する輝度で放電セルを発光することができる。
【００９０】
こうして、画像信号に応じた組合せでサブフィールド毎に各放電セルの発光・非発光を制御して各サブフィールドを選択的に発光することにより、様々な階調値で各放電セルを発光する。すなわち、各放電セルに画像信号に応じた階調値を表示し、画像信号にもとづく画像をパネル１０に表示することができる。
【００９１】
そして維持期間の最後には、壁電荷を消去する消去動作を行う。
【００９２】
なお、本実施の形態においては、右目用フィールドおよび左目用フィールドをそれぞれ５つのサブフィールド（サブフィールドＳＦ１、サブフィールドＳＦ２、サブフィールドＳＦ３、サブフィールドＳＦ４、サブフィールドＳＦ５）で構成し、サブフィールドＳＦ１からサブフィールドＳＦ５の各サブフィールドにそれぞれ（１、１６、８、４、２）の輝度重みを設定するものとする。このように、本実施の形態では、１フィールドの最初に発生するサブフィールドＳＦ１を輝度重みの最も小さいサブフィールドとし、２番目に発生するサブフィールドＳＦ２を輝度重みの最も大きいサブフィールドとし、それ以降は輝度重みが順次小さくなるように各サブフィールドに輝度重みを設定する。
【００９３】
しかし、本発明は、１フィールドを構成するサブフィールドの数、および各サブフィールドに設定する輝度重みが何ら上述したサブフィールド構成に限定されるものではない。それらは、プラズマディスプレイ装置の仕様等に応じて最適に設定することが好ましい。
【００９４】
図４は、本発明の一実施の形態のプラズマディスプレイ装置４０において３Ｄ画像を表示する際にパネル１０の各電極に印加する駆動電圧波形を概略的に示す図である。
【００９５】
図４には、書込み期間において最初に書込み動作を行う走査電極ＳＣ１、書込み期間において２番目に書込み動作を行う走査電極ＳＣ２、書込み期間において最後に書込み動作を行う走査電極ＳＣｎ（例えば、走査電極ＳＣ１０８０）、維持電極ＳＵ１〜維持電極ＳＵｎ、データ電極Ｄ１〜データ電極Ｄｍのそれぞれに印加する駆動電圧波形を示す。また、以下における走査電極ＳＣｉ、維持電極ＳＵｉ、データ電極Ｄｋは、各電極の中から画像データ（サブフィールド毎の発光・非発光を示すデータ）にもとづき選択された電極を表す。
【００９６】
また、図４には、サブフィールドＳＦ１、サブフィールドＳＦ２およびサブフィールドＳＦ５を示す。強制初期化サブフィールドであるサブフィールドＳＦ１と、選択初期化サブフィールドであるサブフィールドＳＦ２以降のサブフィールドとでは、初期化期間Ｔｉに走査電極２２に印加する駆動電圧の波形形状が異なる。
【００９７】
なお、サブフィールドＳＦ３以降の各サブフィールドは、維持パルスの発生数を除き、サブフィールドＳＦ２とほぼ同様の駆動電圧波形を発生する。
【００９８】
まず、強制初期化サブフィールドであるサブフィールドＳＦ１について説明する。
【００９９】
強制初期化動作を行うサブフィールドＳＦ１の強制初期化期間Ｔｉ１の前半部では、データ電極Ｄ１〜データ電極Ｄｍ、維持電極ＳＵ１〜維持電極ＳＵｎには、それぞれ電圧０（Ｖ）を印加する。走査電極ＳＣ１〜走査電極ＳＣｎには、電圧０（Ｖ）を印加した後に電圧Ｖｉ１を印加し、電圧Ｖｉ１から電圧Ｖｉ２まで緩やかに上昇する傾斜波形電圧（以下、「上り傾斜波形電圧」と呼称する）を印加する。このとき、電圧Ｖｉ１は、維持電極ＳＵ１〜維持電極ＳＵｎに対して放電開始電圧よりも低い電圧に設定し、電圧Ｖｉ２は、維持電極ＳＵ１〜維持電極ＳＵｎに対して放電開始電圧を超える電圧に設定する。
【０１００】
この上り傾斜波形電圧が上昇する間に、各放電セルの走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間に、それぞれ微弱な初期化放電が持続して発生する。そして、走査電極ＳＣ１〜走査電極ＳＣｎ上に負の壁電圧が蓄積され、データ電極Ｄ１〜データ電極Ｄｍ上および維持電極ＳＵ１〜維持電極ＳＵｎ上には正の壁電圧が蓄積される。この電極上の壁電圧とは、電極を覆う誘電体層上、保護層上、蛍光体層上等に蓄積された壁電荷により生じる電圧を表す。
【０１０１】
サブフィールドＳＦ１の強制初期化期間Ｔｉ１の後半部では、維持電極ＳＵ１〜維持電極ＳＵｎには後述する電圧Ｖｓよりも低い正の電圧Ｖｅ１を印加し、データ電極Ｄ１〜データ電極Ｄｍには電圧０（Ｖ）を印加する。走査電極ＳＣ１〜走査電極ＳＣｎには、電圧Ｖｉ３から負の電圧Ｖｉ４まで緩やかに下降する傾斜波形電圧（以下、「下り傾斜波形電圧」と呼称する）を印加する。電圧Ｖｉ３は、維持電極ＳＵ１〜維持電極ＳＵｎに対して放電開始電圧未満の電圧に設定し、電圧Ｖｉ４は、維持電極ＳＵ１〜維持電極ＳＵｎに対して放電開始電圧を超える電圧に設定する。
【０１０２】
この下り傾斜波形電圧を走査電極ＳＣ１〜走査電極ＳＣｎに印加する間に、各放電セルの走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間に、それぞれ微弱な初期化放電が発生する。これにより、走査電極ＳＣ１〜走査電極ＳＣｎ上の負の壁電圧および維持電極ＳＵ１〜維持電極ＳＵｎ上の正の壁電圧が弱められ、データ電極Ｄ１〜データ電極Ｄｍ上の正の壁電圧は、続く書込み期間Ｔｗでの書込み動作に適した電圧に調整される。
【０１０３】
以上の電圧波形が、直前のサブフィールドの動作にかかわらず放電セルに初期化放電を発生する強制初期化波形である。そして、強制初期化波形を走査電極２２に印加する動作が強制初期化動作である。
【０１０４】
以上により、強制初期化サブフィールド（サブフィールドＳＦ１）の強制初期化期間Ｔｉ１における強制初期化動作が終了する。そして、強制初期化期間Ｔｉ１では、パネル１０の画像表示領域における全ての放電セルで強制的に初期化放電を発生する。
【０１０５】
次に、書込み期間について説明する。
【０１０６】
サブフィールドＳＦ１の書込み期間Ｔｗでは、維持電極ＳＵ１〜維持電極ＳＵｎには電圧Ｖｅ１を印加し、データ電極Ｄ１〜データ電極Ｄｍには電圧０（Ｖ）を印加し、走査電極ＳＣ１〜走査電極ＳＣｎには電圧Ｖｃを印加する。
【０１０７】
次に、配置的に見て上から１番目（１行目）の走査電極ＳＣ１に負の電圧Ｖａの負極性の走査パルスを印加する。そして、データ電極Ｄ１〜データ電極Ｄｍのうちの１行目において発光するべき放電セルのデータ電極Ｄｋに正の電圧Ｖｄの正極性の書込みパルスを印加する。
【０１０８】
書込みパルスの電圧Ｖｄを印加したデータ電極Ｄｋと走査パルスの電圧Ｖａを印加した走査電極ＳＣ１との交差部にある放電セルでは、データ電極Ｄｋと走査電極ＳＣ１との電圧差が放電開始電圧を超え、データ電極Ｄｋと走査電極ＳＣ１との間に放電が発生する。
【０１０９】
また、維持電極ＳＵ１〜維持電極ＳＵｎに電圧Ｖｅ１を印加しているため、データ電極Ｄｋと走査電極ＳＣ１との間に発生する放電に誘発されて、データ電極Ｄｋと交差する領域にある維持電極ＳＵ１と走査電極ＳＣ１との間にも放電が発生する。こうして、走査パルスの電圧Ｖａと書込みパルスの電圧Ｖｄとが同時に印加された放電セル（発光するべき放電セル）に書込み放電が発生する。
【０１１０】
書込み放電が発生した放電セルでは、走査電極ＳＣ１上に正の壁電圧が蓄積され、維持電極ＳＵ１上に負の壁電圧が蓄積され、データ電極Ｄｋ上にも負の壁電圧が蓄積される。
【０１１１】
このようにして、１行目の放電セルにおける書込み動作が終了する。なお、書込みパルスを印加しなかったデータ電極Ｄｈ（データ電極Ｄｈはデータ電極Ｄ１〜データ電極Ｄｍのうちデータ電極Ｄｋを除いたもの）を有する放電セルでは、データ電極Ｄｈと走査電極ＳＣ１との交差部の電圧は放電開始電圧を超えないので、書込み放電は発生せず、初期化期間Ｔｉ１終了後の壁電圧が保たれる。
【０１１２】
次に、配置的に見て上から２番目（２行目）の走査電極ＳＣ２に電圧Ｖａの走査パルスを印加するとともに、２行目に発光するべき放電セルに対応するデータ電極Ｄｋに電圧Ｖｄの書込みパルスを印加する。これにより、走査パルスと書込みパルスとが同時に印加された２行目の放電セルでは書込み放電が発生する。こうして、２行目の放電セルにおける書込み動作を行う。
【０１１３】
同様の書込み動作を、走査電極ＳＣ３、走査電極ＳＣ４、・・・、走査電極ＳＣｎという順番で、ｎ行目の放電セルに至るまで順次行い、サブフィールドＳＦ１の書込み期間Ｔｗが終了する。このようにして、書込み期間Ｔｗでは、発光するべき放電セルに選択的に書込み放電を発生し、その放電セルに維持放電のための壁電荷を形成する。
【０１１４】
なお、本発明は、走査電極１２に走査パルスを印加する順番が何ら上述した順番に限定されるものではない。走査電極１２に走査パルスを印加する順番は、画像表示装置における仕様等に応じて任意に設定すればよい。
【０１１５】
なお、初期化期間Ｔｉ１の後半に維持電極ＳＵ１〜維持電極ＳＵｎに印加する電圧Ｖｅ１と、書込み期間Ｔｗ１に維持電極ＳＵ１〜維持電極ＳＵｎに印加する電圧Ｖｅ１とは互いに異なる電圧値であってもよい。
【０１１６】
次に、維持期間について説明する。
【０１１７】
サブフィールドＳＦ１の維持期間Ｔｓでは、まず維持電極ＳＵ１〜維持電極ＳＵｎに電圧０（Ｖ）を印加する。そして、走査電極ＳＣ１〜走査電極ＳＣｎに正の電圧Ｖｓの維持パルスを印加する。
【０１１８】
この維持パルスの印加により、直前の書込み期間Ｔｗに書込み放電を発生した放電セルでは、走査電極ＳＣｉと維持電極ＳＵｉとの電圧差が放電開始電圧を超え、走査電極ＳＣｉと維持電極ＳＵｉとの間に維持放電が発生する。そして、この維持放電により発生した紫外線により、維持放電が発生した放電セルの蛍光体層３５が発光する。また、この維持放電により、走査電極ＳＣｉ上に負の壁電圧が蓄積され、維持電極ＳＵｉ上に正の壁電圧が蓄積される。さらに、データ電極Ｄｋ上にも正の壁電圧が蓄積される。ただし、直前の書込み期間Ｔｗにおいて書込み放電が発生しなかった放電セルでは維持放電は発生しない。
【０１１９】
続いて、走査電極ＳＣ１〜走査電極ＳＣｎに電圧０（Ｖ）を印加し、維持電極ＳＵ１〜維持電極ＳＵｎに電圧Ｖｓの維持パルスを印加する。直前に維持放電を発生した放電セルでは再び維持放電が発生し、維持電極ＳＵｉ上に負の壁電圧が蓄積され、走査電極ＳＣｉ上に正の壁電圧が蓄積される。
【０１２０】
以降同様に、走査電極ＳＣ１〜走査電極ＳＣｎと維持電極ＳＵ１〜維持電極ＳＵｎとに、輝度重みに所定の輝度倍数を乗じた数の維持パルスを交互に印加する。こうして、書込み期間において書込み放電を発生した放電セルは、輝度重みに応じた回数の維持放電を発生し、輝度重みに応じた輝度で発光する。
【０１２１】
そして、維持期間Ｔｓにおける維持パルスの発生後（維持期間の最後）に、維持電極ＳＵ１〜維持電極ＳＵｎおよびデータ電極Ｄ１〜データ電極Ｄｍに電圧０（Ｖ）を印加したまま、走査電極ＳＣ１〜走査電極ＳＣｎに電圧０（Ｖ）から電圧Ｖｒまで緩やかに上昇する上り傾斜波形電圧を印加する。
【０１２２】
電圧Ｖｒを放電開始電圧を超える電圧に設定することで、走査電極ＳＣ１〜走査電極ＳＣｎへ印加する上り傾斜波形電圧が放電開始電圧を超えて上昇する間に、維持放電を発生した放電セルの維持電極ＳＵｉと走査電極ＳＣｉとの間に、微弱な放電（消去放電）が持続して発生する。
【０１２３】
この微弱な放電で発生した荷電粒子は、維持電極ＳＵｉと走査電極ＳＣｉとの間の電圧差を緩和するように、維持電極ＳＵｉ上および走査電極ＳＣｉ上に壁電荷となって蓄積される。これにより、データ電極Ｄｋ上の正の壁電圧を残したまま、走査電極ＳＣｉ上の壁電圧および維持電極ＳＵｉ上の壁電圧が弱められる。こうして、放電セル内における不要な壁電荷が消去される。
【０１２４】
走査電極ＳＣ１〜走査電極ＳＣｎに印加する電圧が電圧Ｖｒに到達したら、走査電極ＳＣ１〜走査電極ＳＣｎへの印加電圧を電圧０（Ｖ）まで下降する。こうして、サブフィールドＳＦ１の維持期間Ｔｓにおける維持動作が終了する。
【０１２５】
以上により、３Ｄ駆動時におけるサブフィールドＳＦ１が終了する。
【０１２６】
次に、３Ｄ駆動時における選択初期化サブフィールドについてサブフィールドＳＦ２を例に挙げて説明する。
【０１２７】
サブフィールドＳＦ２の選択初期化期間Ｔｉ２では、データ電極Ｄ１〜データ電極Ｄｍに電圧０（Ｖ）を印加し、維持電極ＳＵ１〜維持電極ＳＵｎには電圧Ｖｓよりも低い正の電圧Ｖｅ１を印加する。
【０１２８】
走査電極ＳＣ１〜走査電極ＳＣｎには放電開始電圧未満となる電圧（例えば、電圧０（Ｖ））から負の電圧Ｖｉ４に向かって、初期化期間Ｔｉ１で発生した下り傾斜波形電圧と同じ勾配で下降する下り傾斜波形電圧を印加する。電圧Ｖｉ４は、放電開始電圧を超える電圧に設定する。
【０１２９】
この下り傾斜波形電圧を走査電極ＳＣ１〜走査電極ＳＣｎに印加する間に、直前のサブフィールド（図４では、サブフィールドＳＦ１）の維持期間Ｔｓに維持放電を発生した放電セルでは、走査電極ＳＣｉと維持電極ＳＵｉとの間、および走査電極ＳＣｉとデータ電極Ｄｋとの間でそれぞれ微弱な初期化放電が発生する。
【０１３０】
そして、この初期化放電により、直前の維持放電によってデータ電極Ｄｋ上に蓄積された正の壁電圧の過剰な部分が放電され、書込み動作に適した壁電圧に調整される。また、走査電極ＳＣｉ上の負の壁電圧および維持電極ＳＵｉ上の正の壁電圧が弱められる。こうして、放電セル内の壁電圧は、続く書込み期間Ｔｗにおける書込み動作に適した壁電圧に調整される。
【０１３１】
一方、直前のサブフィールド（サブフィールドＳＦ１）の維持期間Ｔｓに維持放電を発生しなかった放電セルでは、初期化放電は発生せず、それ以前の壁電圧（例えば、サブフィールドＳＦ１の強制初期化期間Ｔｉ１終了時における壁電圧）が保たれる。
【０１３２】
上述の電圧波形が、３Ｄ駆動時において、直前のサブフィールドの書込み期間（ここでは、サブフィールドＳＦ１の書込み期間Ｔｗ）で書込み動作を行った放電セルで選択的に初期化放電を発生する選択初期化波形である。そして、選択初期化波形を走査電極２２に印加する動作が選択初期化動作である。
【０１３３】
以上により、３Ｄ駆動時の選択初期化サブフィールドであるサブフィールドＳＦ２の初期化期間Ｔｉ２における選択初期化動作が終了する。
【０１３４】
サブフィールドＳＦ２の書込み期間Ｔｗでは、サブフィールドＳＦ１の書込み期間Ｔｗと同様の駆動電圧波形を各電極に印加する。続く維持期間Ｔｓも、サブフィールドＳＦ１の維持期間Ｔｓと同様に、輝度重みに応じた数の維持パルスを走査電極ＳＣ１〜走査電極ＳＣｎと維持電極ＳＵ１〜維持電極ＳＵｎとに交互に印加する。
【０１３５】
サブフィールドＳＦ３以降の各サブフィールドでは、維持期間Ｔｓに発生する維持パルスの数を除き、サブフィールドＳＦ２と同様の駆動電圧波形を各電極に印加する。
【０１３６】
したがって、サブフィールドＳＦ３以降の各サブフィールドにおける選択初期化期間Ｔｉ２では、維持電極ＳＵ１〜維持電極ＳＵｎには電圧Ｖ２よりも低い電圧Ｖｅ１を印加し、データ電極Ｄ１〜データ電極Ｄｍには電圧０（Ｖ）を印加する。そして、走査電極ＳＣ１〜走査電極ＳＣｎには放電開始電圧未満となる電圧（例えば、電圧０（Ｖ））から負の電圧Ｖｉ４に向かって緩やかに下降する下り傾斜波形電圧を印加する。
【０１３７】
こうして直前のサブフィールドで維持放電を起こした放電セルで微弱な初期化放電を発生させる。
【０１３８】
以上が、本実施の形態において、３Ｄ駆動時にパネル１０の各電極に印加する駆動電圧波形の概要である。
【０１３９】
なお、図４には、サブフィールドＳＦ５の終了後、電圧０（Ｖ）から電圧Ｖｉ４に向かって緩やかに下降する下り傾斜波形電圧を走査電極ＳＣ１〜走査電極ＳＣｎに印加している。この下り傾斜波形電圧は、放電セル内における不要な壁電荷の除去を目的としたものであるが、省略してもよい。
【０１４０】
なお、本実施の形態において各電極に印加する電圧値は、例えば、電圧Ｖｉ１＝１４５（Ｖ）、電圧Ｖｉ２＝２４５（Ｖ）、電圧Ｖｉ３＝１９０（Ｖ）、電圧Ｖｉ４＝−１６０（Ｖ）、電圧Ｖａ＝−１８０（Ｖ）、電圧Ｖｃ＝−３５（Ｖ）、電圧Ｖｓ＝１９０（Ｖ）、電圧Ｖｒ＝１９０（Ｖ）、電圧Ｖｅ１＝１２０（Ｖ）、電圧Ｖｄ＝６０（Ｖ）である。また、初期化期間Ｔｉ１に発生する上り傾斜波形電圧の勾配は約１．５（Ｖ／μｓｅｃ）であり、初期化期間Ｔｉ１および初期化期間Ｔｉ２に発生する下り傾斜波形電圧の勾配は約−２．５（Ｖ／μｓｅｃ）であり、維持期間の最後に発生する上り傾斜波形電圧の勾配は約１０（Ｖ／μｓｅｃ）である。
【０１４１】
なお、本実施の形態において、上述した電圧値や勾配等の具体的な数値は単なる一例に過ぎず、本発明は、各電圧値や勾配等が上述した数値に限定されるものではない。各電圧値や勾配等は、パネルの放電特性やプラズマディスプレイ装置の仕様等にもとづき最適に設定することが望ましい。
【０１４２】
なお、本実施の形態では、サブフィールドＳＦ１を強制初期化動作を行う強制初期化サブフィールドとし、他のサブフィールド（サブフィールドＳＦ２以降のサブフィールド）を選択初期化動作を行う選択初期化サブフィールドとしたが、本発明は何らこの構成に限定されるものではない。例えば、サブフィールドＳＦ１を選択初期化サブフィールドにして他のサブフィールドを強制初期化サブフィールドにしたり、あるいは複数のサブフィールドを強制初期化サブフィールドとしてもよい。
【０１４３】
次に、本実施の形態のプラズマディスプレイ装置における３Ｄ駆動時のサブフィールドの構成について、シャッタ眼鏡５０の動作とともに説明する。
【０１４４】
図５は、本発明の一実施の形態のプラズマディスプレイ装置４０において３Ｄ画像を表示する際にパネル１０の各電極に印加する駆動電圧波形およびシャッタ眼鏡５０の開閉動作を概略的に示す図である。
【０１４５】
図５には、書込み期間において最初に書込み動作を行う走査電極ＳＣ１、書込み期間において最後に書込み動作を行う走査電極ＳＣｎ、維持電極ＳＵ１〜維持電極ＳＵｎ、およびデータ電極Ｄ１〜データ電極Ｄｍのそれぞれに印加する駆動電圧波形を示す。また、図５には、右目用シャッタ５２Ｒおよび左目用シャッタ５２Ｌの開閉動作を示す。また、図５には３つのフィールド（フィールドＦ１〜フィールドＦ３）を示す。
【０１４６】
３Ｄ画像信号は、右目用画像信号と左目用画像信号とをフィールド毎に交互に繰り返す立体視用の画像信号である。そして、プラズマディスプレイ装置４０は、３Ｄ画像信号が入力されたときには、右目用画像信号を表示する右目用フィールドと、左目用画像信号を表示する左目用フィールドとを交互に繰り返して右目用画像と左目用画像とを交互にパネル１０に表示する。
【０１４７】
例えば、図５に示す３つのフィールド（フィールドＦ１、フィールドＦ２、フィールドＦ３）のうち、フィールドＦ１、フィールドＦ３は右目用フィールドであり、右目用画像信号をパネル１０に表示する。フィールドＦ２は左目用フィールドであり、左目用画像信号をパネル１０に表示する。こうして、プラズマディスプレイ装置４０は、右目用画像および左目用画像からなる立体視用の３Ｄ画像をパネル１０に表示する。
【０１４８】
シャッタ眼鏡５０を通してパネル１０に表示される３Ｄ画像を観賞する使用者には、２フィールドで表示される画像（右目用画像および左目用画像）が１枚の３Ｄ画像として認識される。そのため、使用者には、１秒間にパネル１０に表示される３Ｄ画像の数が、１秒間に表示されるフィールドの数の半分の数として観測される。
【０１４９】
例えば、パネルに表示される３Ｄ画像のフィールド周波数（１秒間に発生するフィールドの数）が６０Ｈｚであれば、１秒間にパネル１０に表示される右目用画像および左目用画像はそれぞれ３０枚ずつとなる。そのため、使用者には、１秒間に３０枚の３Ｄ画像が観測されることになる。したがって、１秒間に６０枚の３Ｄ画像を表示するためには、フィールド周波数を６０Ｈｚの２倍の１２０Ｈｚに設定しなければならない。
【０１５０】
そこで、本実施の形態では、使用者に３Ｄ画像の動画像が滑らかに観測されるように、フィールド周波数を通常の２倍（例えば、１２０Ｈｚ）に設定し、フィールド周波数が低い画像を表示する際に発生しやすい画像のちらつき（フリッカ）を低減している。
【０１５１】
そして、使用者は、パネル１０に表示される３Ｄ画像を、右目用フィールドおよび左目用フィールドに同期して右目用シャッタ５２Ｒおよび左目用シャッタ５２Ｌをそれぞれ独立に開閉するシャッタ眼鏡５０を通して観賞する。これにより、使用者は、右目用画像を右目だけで観測し、左目用画像を左目だけで観測することができるので、パネル１０に表示される３Ｄ画像を立体視することができる。
【０１５２】
しかしながら、１枚の右目用画像または１枚の左目用画像を表示するために使用できる時間は、フィールド周波数６０Ｈｚの２Ｄ画像（３Ｄ画像ではない通常の画像）を１枚表示するために使用できる時間の２分の１に制限される。
【０１５３】
例えば、１２０Ｈｚの３Ｄ画像信号をパネル１０に表示する際の１フィールドの期間は８．３ｍｓｅｃであり、６０Ｈｚの２Ｄ画像信号をパネル１０に表示する際の１フィールドの期間である１６．７ｍｓｅｃの半分となる。
【０１５４】
そこで、本実施の形態におけるプラズマディスプレイ装置４０は、３Ｄ画像信号によってパネル１０を駆動する際には、２Ｄ画像信号によってパネル１０を駆動する際よりも、１フィールドを構成するサブフィールドの数を少なくする。本実施の形態では、例えば、右目用フィールドおよび左目用フィールドをそれぞれ５つのサブフィールド（サブフィールドＳＦ１、サブフィールドＳＦ２、サブフィールドＳＦ３、サブフィールドＳＦ４、サブフィールドＳＦ５）で構成する。
【０１５５】
また、サブフィールドＳＦ１からサブフィールドＳＦ５の各サブフィールドはそれぞれ（１、１６、８、４、２）の輝度重みを有する。このように、本実施の形態では、フィールドの最初に発生するサブフィールドＳＦ１を輝度重みの最も小さいサブフィールドとし、２番目に発生するサブフィールドＳＦ２を輝度重みの最も大きいサブフィールドとし、それ以降は輝度重みが順次小さくなるように各サブフィールドに輝度重みを設定する。
【０１５６】
本実施の形態では、各フィールドをこのように構成することにより、右目用画像から左目用画像への発光の漏れ込み、および左目用画像から右目用画像への発光の漏れ込み（クロストーク）を低減するとともに、書込み動作を安定化している。
【０１５７】
シャッタ眼鏡５０の右目用シャッタ５２Ｒおよび左目用シャッタ５２Ｌは、制御信号出力部４６から出力されるシャッタ開閉用の制御信号（右目用制御信号および左目用制御信号）のオン・オフにもとづき開閉動作が制御される。
【０１５８】
具体的には、右目用シャッタ５２Ｒは、右目用フィールド（例えば、フィールドＦ１）の先頭サブフィールド（サブフィールドＳＦ１）の書込み期間の開始に同期して開き、同じフィールド（例えば、フィールドＦ１）の最終サブフィールド（サブフィールドＳＦ５）の維持期間の終了に同期して閉じる。
【０１５９】
左目用シャッタ５２Ｌは、左目用フィールド（例えば、フィールドＦ２）の先頭サブフィールド（サブフィールドＳＦ１）の書込み期間の開始に同期して開き、同じフィールド（例えば、フィールドＦ２）の最終サブフィールド（サブフィールドＳＦ５）の維持期間の終了に同期して閉じる。
【０１６０】
上述したように、本実施の形態では、３Ｄ画像信号をパネル１０に表示する際に、サブフィールドＳＦ１を輝度重みの最も小さいサブフィールドとし、２番目に発生するサブフィールドＳＦ２を輝度重みの最も大きいサブフィールドとし、それ以降はサブフィールドの発生順に輝度重みを順次小さくする。すなわち、サブフィールドＳＦ１を除き、各サブフィールドの輝度重みを、時間的に後に発生するサブフィールドほど小さくする。また、強制初期化動作を行うサブフィールドＳＦ１の初期化期間（強制初期化期間Ｔｉ１）では、右目用シャッタ５２Ｒおよび左目用シャッタ５２Ｌがともに閉じた状態となるようにシャッタ眼鏡５０を制御する。これにより、３Ｄ画像信号をパネル１０に表示する際のクロストークを抑制している。これは、次のような理由による。
【０１６１】
パネル１０で用いられている蛍光体層３５は、その蛍光体を形成する材料に依存した残光特性を有する。この残光とは、放電終了後も蛍光体が発光を持続する現象のことである。そして、残光の強さは、蛍光体の発光時の輝度に比例し、蛍光体が発光したときの輝度が高いほど、残光も強くなる。また、残光は、蛍光体の特性に応じた時定数で減衰し、時間の経過とともに徐々に輝度が低下するが、維持放電を終了した後も数ｍｓｅｃの間は残光が持続するという特性を有する蛍光体材料も存在する。また、蛍光体が発光したときの輝度が高いほど、残光が十分に減衰するまでに要する時間も長くなる。
【０１６２】
輝度重みが大きいサブフィールドで生じる発光は輝度重みが小さいサブフィールドで生じる発光よりも輝度が高い。したがって、輝度重みが大きいサブフィールドで生じた発光による残光は、輝度重みが小さいサブフィールドで生じた発光による残光よりも、輝度が高くなり、減衰に要する時間も長くなる。
【０１６３】
そのため、１フィールドの最終サブフィールドを輝度重みの大きいサブフィールドにすると、最終サブフィールドを輝度重みの小さいサブフィールドにするときと比較して、後続のフィールドに漏れ込む残光が増加する。
【０１６４】
右目用フィールドと左目用フィールドとを交互に発生してパネル１０に３Ｄ画像を表示するプラズマディスプレイ装置４０においては、１つのフィールドで発生した残光が続くフィールドに漏れ込むと、その残光は、画像信号とは関係のない不要な発光として使用者に観測されることとなる。この現象が「クロストーク」である。
【０１６５】
したがって、１つのフィールドから次のフィールドに漏れ込む残光が増加するほど、クロストークは悪化し、３Ｄ画像の立体視は阻害され、プラズマディスプレイ装置４０における画像表示品質は劣化する。なお、この画像表示品質とは、シャッタ眼鏡５０を通して３Ｄ画像を観賞する使用者にとっての画像表示品質のことである。
【０１６６】
１つのフィールドから次のフィールドに漏れ込む残光を弱め、クロストークを低減するためには、輝度重みの大きいサブフィールドを１フィールドの早い時期に発生して強い残光をできるだけ自フィールド内で収束させ、かつ１フィールドの最終サブフィールドを輝度重みの小さいサブフィールドにして次フィールドへの残光の漏れ込みをできるだけ低減すればよい。
【０１６７】
すなわち、３Ｄ画像信号をパネル１０に表示する際のクロストークを抑制するためには、フィールドの初期に輝度重みが比較的大きいサブフィールドを発生し、以降、サブフィールドの発生順に輝度重みを小さくし、フィールドの最後のサブフィールドを輝度重みの比較的小さいサブフィールドにして、次フィールドへの残光の漏れ込みをできるだけ低減することが望ましい。
【０１６８】
しかしながら、輝度重みが最も大きいサブフィールドを先頭サブフィールドにすると、フィールドの最初のサブフィールドにおいて維持放電によって壁電荷およびプライミング粒子が補充される放電セルの数が減少する。また、輝度重みが大きいサブフィールドは、維持期間の長さも長くなる。そのため、その維持期間で維持放電が発生しなければ、初期化期間から後続のサブフィールドで書込み動作を行うまでに相対的に長い時間がかかって壁電荷が大きく減少し、その書込み期間での書込み動作が不安定になるおそれがある。
【０１６９】
また、一般的な動画をパネル１０に表示するときには、輝度重みが小さいサブフィールドほど発光する確率は高く、輝度重みが大きいサブフィールドほど発光する確率は低くなることが確認されている。
【０１７０】
クロストークの低減と、１フィールドの最終サブフィールドにおける書込み動作の安定化とを両立するためには、各サブフィールドの輝度重みを、１フィールドのうち時間的に後に発生するサブフィールドほど小さくなるように設定して輝度重みの大きいサブフィールドを１フィールドの早い時期に発生させるとともに、フィールドの初期に維持放電を発生して壁電荷およびプライミング粒子を補充することが望ましい。
【０１７１】
そこで、本実施の形態では、サブフィールドＳＦ１を輝度重みの最も小さいサブフィールドとする。したがって、サブフィールドＳＦ１の維持期間に維持放電が発生する確率を高めることができる。そして、サブフィールドＳＦ２を輝度重みの最も大きいサブフィールドとし、サブフィールドＳＦ３以降の各サブフィールドは輝度重みを順次小さくする構成とする。
【０１７２】
これにより、次フィールドへの残光の漏れ込みを低減してクロストークを低減するとともに、サブフィールドＳＦ１の維持期間に発生する維持放電によって壁電荷およびプライミング粒子を放電セル内に補充する放電セルの数を増加し、後続のサブフィールドにおける書込み動作の安定化を図ることが可能となる。
【０１７３】
これが、サブフィールドＳＦ１の輝度重みを最も小さくし、サブフィールドＳＦ２の輝度重みの最も大きくし、それ以降はサブフィールドの発生順に輝度重みが順次小さくなるように、各サブフィールドの輝度重みを設定した理由である。
【０１７４】
また、本実施の形態では、強制初期化動作を行うサブフィールドＳＦ１の初期化期間（強制初期化期間Ｔｉ１）では、右目用シャッタ５２Ｒおよび左目用シャッタ５２Ｌがともに閉じた状態となるようにシャッタ眼鏡５０を制御する。
【０１７５】
これにより、強制初期化動作によって発生する発光は、右目用シャッタ５２Ｒおよび左目用シャッタ５２Ｌによって遮られ、使用者の目に入らなくなる。したがって、シャッタ眼鏡５０を通して３Ｄ画像を観賞する使用者（以下、単に「使用者」と記す）には、強制初期化動作による発光が見えなくなる。そして、その発光分の輝度が黒輝度において低減することになる。これにより、使用者は、コントラストの高い画像を観賞することができる。
【０１７６】
さらに、強制初期化期間Ｔｉ１において右目用シャッタ５２Ｒおよび左目用シャッタ５２Ｌをともに閉じた状態にすることで、強制初期化動作による発光だけでなく残光も遮られることになる。したがって、クロストークを低減する効果をより高めることができる。
【０１７７】
次に、２Ｄ画像信号がプラズマディスプレイ装置４０に入力されたときにパネル１０の各電極に印加する駆動電圧波形を説明する。
【０１７８】
本実施の形態においては、サブフィールドＳＦ１を強制初期化サブフィールドとしている。したがって、サブフィールドＳＦ１の初期化期間では、全ての放電セルにおいて、初期化放電を発生し、書込み動作に必要な壁電荷およびプライミング粒子を発生する。
【０１７９】
しかしながら、サブフィールドＳＦ１の初期化期間において強制初期化動作によって発生した壁電荷およびプライミング粒子は、時間の経過とともに徐々に失われていく。そして、壁電荷およびプライミング粒子が不足すると、書込み動作が不安定になる。
【０１８０】
例えば、サブフィールドＳＦ１の強制初期化動作で初期化放電が発生した後、途中のサブフィールドでは書込み動作が行われず、最終サブフィールドでのみ書込み動作が行われるような放電セルでは、時間の経過とともに壁電荷およびプライミング粒子が徐々に失われ、最終サブフィールドにおける書込み動作が不安定になるおそれがある。
【０１８１】
したがって、１フィールドの期間が３Ｄ駆動時と比較して長い２Ｄ駆動時においては、１フィールドの最終サブフィールドでのみ書込み動作を行う放電セルでは、書込み動作が不安定になりやすい。
【０１８２】
しかし、壁電荷およびプライミング粒子は維持放電の発生により補充される。例えば、サブフィールドＳＦ１の維持期間で維持放電が発生した放電セルでは、その維持放電により壁電荷およびプライミング粒子が補充される。
【０１８３】
また、一般的に視聴される動画においては、輝度重みが比較的小さいサブフィールドの方が、輝度重みが比較的大きいサブフィールドよりも維持放電が発生する頻度が高いことが確認されている。
【０１８４】
そのため、１フィールドの期間が３Ｄ駆動時と比較して長い２Ｄ駆動時においては、維持放電の発生頻度が高い輝度重みの小さいサブフィールドを１フィールドの初期に発生し、１フィールドのうち時間的に後に発生するサブフィールドほど輝度重みを大きくする方が望ましい。こうすることで、２Ｄ駆動時において、１フィールドの初期における維持放電の発生確率を高めることができる。したがって、１フィールドの初期に維持放電によって壁電荷およびプライミング粒子が補充される放電セルの数を増加させて、１フィールドの最終サブフィールドにおける書込み動作を安定に行うことができる。
【０１８５】
なお、本実施の形態においては、２Ｄ駆動時においては、１フィールドを１０のサブフィールド（サブフィールドＳＦ１からサブフィールドＳＦ１０）で構成し、サブフィールドＳＦ１からサブフィールドＳＦ１０の各サブフィールドにそれぞれ（１、２、３、６、１１、１８、３０、４４、６０、８１）の輝度重みを設定するものとする。このように、本実施の形態では、１フィールドの最初に発生するサブフィールドＳＦ１を輝度重みの最も小さいサブフィールドとし、それ以降は輝度重みが順次大きくなるように各サブフィールドに輝度重みを設定する。
【０１８６】
また、本実施の形態では、２Ｄ駆動時のフィールド周波数を、３Ｄ駆動時のフィールド周波数の２分の１（例えば、６０Ｈｚ）に設定している。
【０１８７】
しかし、本発明は、１フィールドを構成するサブフィールドの数、および各サブフィールドに設定する輝度重みが何ら上述したサブフィールド構成に限定されるものではない。それらは、プラズマディスプレイ装置の仕様等に応じて最適に設定することが好ましい。
【０１８８】
図６は、本発明の一実施の形態のプラズマディスプレイ装置４０において２Ｄ画像を表示する際にパネル１０の各電極に印加する駆動電圧波形を概略的に示す図である。
【０１８９】
図６には、書込み期間において最初に書込み動作を行う走査電極ＳＣ１、書込み期間において２番目に書込み動作を行う走査電極ＳＣ２、書込み期間において最後に書込み動作を行う走査電極ＳＣｎ（例えば、走査電極ＳＣ１０８０）、維持電極ＳＵ１〜維持電極ＳＵｎ、データ電極Ｄ１〜データ電極Ｄｍのそれぞれに印加する駆動電圧波形を示す。また、以下における走査電極ＳＣｉ、維持電極ＳＵｉ、データ電極Ｄｋは、各電極の中から画像データ（サブフィールド毎の発光・非発光を示すデータ）にもとづき選択された電極を表す。
【０１９０】
また、図６には、サブフィールドＳＦ１、サブフィールドＳＦ２およびサブフィールドＳＦ１０を示す。強制初期化サブフィールドであるサブフィールドＳＦ１と、選択初期化サブフィールドであるサブフィールドＳＦ２以降のサブフィールドとでは、初期化期間Ｔｉに走査電極２２に印加する駆動電圧の波形形状が異なる。
【０１９１】
なお、サブフィールドＳＦ３以降の各サブフィールドは、維持パルスの発生数を除き、サブフィールドＳＦ２とほぼ同様の駆動電圧波形を発生する。
【０１９２】
まず、強制初期化サブフィールドであるサブフィールドＳＦ１について説明する。
【０１９３】
強制初期化動作を行うサブフィールドＳＦ１の強制初期化期間Ｔｉ１では、データ電極Ｄ１〜データ電極Ｄｍ、維持電極ＳＵ１〜維持電極ＳＵｎ、走査電極ＳＣ１〜走査電極ＳＣｎの各電極に、図４の強制初期化期間Ｔｉ１に示した駆動電圧波形と同様の駆動電圧波形を印加する。
【０１９４】
すなわち、強制初期化期間Ｔｉ１の前半部では、データ電極Ｄ１〜データ電極Ｄｍ、維持電極ＳＵ１〜維持電極ＳＵｎには、それぞれ電圧０（Ｖ）を印加する。走査電極ＳＣ１〜走査電極ＳＣｎには、電圧０（Ｖ）を印加した後に電圧Ｖｉ１を印加し、電圧Ｖｉ１から電圧Ｖｉ２まで緩やかに上昇する上り傾斜波形電圧を印加する。
【０１９５】
これにより、各放電セルに微弱な初期化放電が発生し、走査電極ＳＣ１〜走査電極ＳＣｎ上に負の壁電圧が蓄積され、データ電極Ｄ１〜データ電極Ｄｍ上および維持電極ＳＵ１〜維持電極ＳＵｎ上には正の壁電圧が蓄積される。
【０１９６】
強制初期化期間Ｔｉ１の後半部では、維持電極ＳＵ１〜維持電極ＳＵｎには正の電圧Ｖｅ１を印加し、データ電極Ｄ１〜データ電極Ｄｍには電圧０（Ｖ）を印加する。走査電極ＳＣ１〜走査電極ＳＣｎには、電圧Ｖｉ３から負の電圧Ｖｉ４まで緩やかに下降する下り傾斜波形電圧を印加する。
【０１９７】
これにより、各放電セルに微弱な初期化放電が発生し、走査電極ＳＣ１〜走査電極ＳＣｎ上の負の壁電圧および維持電極ＳＵ１〜維持電極ＳＵｎ上の正の壁電圧が弱められ、データ電極Ｄ１〜データ電極Ｄｍ上の正の壁電圧は、続く書込み期間Ｔｗでの書込み動作に適した電圧に調整される。
【０１９８】
続く書込み期間Ｔｗも、データ電極Ｄ１〜データ電極Ｄｍ、維持電極ＳＵ１〜維持電極ＳＵｎ、走査電極ＳＣ１〜走査電極ＳＣｎの各電極に、図４の書込み期間Ｔｗに示した駆動電圧波形と同様の駆動電圧波形を印加する。
【０１９９】
すなわち、配置的に見て上から１番目（１行目）の走査電極ＳＣ１から順に電圧Ｖａの走査パルスを印加していき、発光するべき放電セルに対応するデータ電極Ｄｋに電圧Ｖｄの書込みパルスを印加する。こうして、発光するべき放電セルに選択的に書込み放電を発生し、その放電セルに維持放電のための壁電荷を形成する。
【０２００】
続く維持期間Ｔｓも、データ電極Ｄ１〜データ電極Ｄｍ、維持電極ＳＵ１〜維持電極ＳＵｎ、走査電極ＳＣ１〜走査電極ＳＣｎの各電極に、図４の維持期間Ｔｓに示した駆動電圧波形と同様の駆動電圧波形を印加する。
【０２０１】
すなわち、走査電極ＳＣ１〜走査電極ＳＣｎと維持電極ＳＵ１〜維持電極ＳＵｎとに、輝度重みに所定の輝度倍数を乗じた数の維持パルスを交互に印加し、書込み期間において書込み放電を発生した放電セルを、輝度重みに応じた輝度で発光させる。
【０２０２】
そして、維持期間Ｔｓにおける維持パルスの発生後（維持期間の最後）には、維持電極ＳＵ１〜維持電極ＳＵｎおよびデータ電極Ｄ１〜データ電極Ｄｍに電圧０（Ｖ）を印加したまま、走査電極ＳＣ１〜走査電極ＳＣｎに電圧０（Ｖ）から電圧Ｖｒまで緩やかに上昇する上り傾斜波形電圧を印加する。
【０２０３】
以上により、２Ｄ駆動時におけるサブフィールドＳＦ１が終了する。
【０２０４】
次に、２Ｄ駆動時における選択初期化サブフィールドについてサブフィールドＳＦ２を例に挙げて説明する。
【０２０５】
選択初期化動作を行うサブフィールドＳＦ２の選択初期化期間Ｔｉ２では、データ電極Ｄ１〜データ電極Ｄｍ、走査電極ＳＣ１〜走査電極ＳＣｎの各電極には、図４の選択初期化期間Ｔｉ２に示した駆動電圧波形と同様の駆動電圧波形を印加する。ただし、維持電極ＳＵ１〜維持電極ＳＵｎに印加する駆動電圧波形は、図４の選択初期化期間Ｔｉ２に示した維持電極ＳＵ１〜維持電極ＳＵｎに印加する駆動電圧波形とは異なる。
【０２０６】
サブフィールドＳＦ２の選択初期化期間Ｔｉ２では、データ電極Ｄ１〜データ電極Ｄｍに電圧０（Ｖ）を印加する。維持電極ＳＵ１〜維持電極ＳＵｎには電圧Ｖｅ１よりも高い正の電圧Ｖｅ２を印加する。なお、電圧Ｖｅ２は、例えば電圧Ｖｓに等しい電圧である。
【０２０７】
走査電極ＳＣ１〜走査電極ＳＣｎには放電開始電圧未満となる電圧（例えば、電圧０（Ｖ））から負の電圧Ｖｉ４に向かって、初期化期間Ｔｉ１で発生した下り傾斜波形電圧と同じ勾配で下降する下り傾斜波形電圧を印加する。
【０２０８】
そして、走査電極ＳＣ１〜走査電極ＳＣｎに印加する下り傾斜波形電圧が電圧Ｖｉ４に到達する前に、維持電極ＳＵ１〜維持電極ＳＵｎをハイインピーダンス状態とする。そのため、維持電極ＳＵ１〜維持電極ＳＵｎの電圧は、維持電極ＳＵ１〜維持電極ＳＵｎがハイインピーダンス状態となった後に、走査電極ＳＣ１〜走査電極ＳＣｎに印加する下り傾斜波形電圧の影響を受けて緩やかに下降する。
【０２０９】
この下り傾斜波形電圧を走査電極ＳＣ１〜走査電極ＳＣｎに印加する間に、直前のサブフィールド（図６では、サブフィールドＳＦ１）の維持期間Ｔｓに維持放電を発生した放電セルでは微弱な初期化放電が発生する。
【０２１０】
そして、この初期化放電により、直前の維持放電によってデータ電極Ｄｋ上に蓄積された正の壁電圧の過剰な部分が放電され、書込み動作に適した壁電圧に調整される。また、走査電極ＳＣｉ上の負の壁電圧および維持電極ＳＵｉ上の正の壁電圧が弱められる。こうして、放電セル内の壁電圧は、続く書込み期間Ｔｗにおける書込み動作に適した壁電圧に調整される。
【０２１１】
一方、直前のサブフィールド（サブフィールドＳＦ１）の維持期間Ｔｓに維持放電を発生しなかった放電セルでは、初期化放電は発生せず、それ以前の壁電圧（例えば、サブフィールドＳＦ１の強制初期化期間Ｔｉ１終了時における壁電圧）が保たれる。
【０２１２】
上述の電圧波形が、２Ｄ駆動時において、直前のサブフィールドの書込み期間（ここでは、サブフィールドＳＦ１の書込み期間Ｔｗ）で書込み動作を行った放電セルで選択的に初期化放電を発生する選択初期化波形である。
【０２１３】
このように、本実施の形態では、２Ｄ駆動時の選択初期化期間Ｔｉ２に維持電極ＳＵ１〜維持電極ＳＵｎに印加する電圧Ｖｅ２を、３Ｄ駆動駆動時の選択初期化期間Ｔｉ２に維持電極ＳＵ１〜維持電極ＳＵｎに印加する電圧Ｖｅ１よりも高い電圧に設定している。
【０２１４】
以上により、２Ｄ駆動時の選択初期化サブフィールドであるサブフィールドＳＦ２の初期化期間Ｔｉ２における選択初期化動作が終了する。
【０２１５】
サブフィールドＳＦ２の書込み期間Ｔｗでは、サブフィールドＳＦ１の書込み期間Ｔｗと同様の駆動電圧波形を各電極に印加する。続く維持期間Ｔｓも、サブフィールドＳＦ１の維持期間Ｔｓと同様に、輝度重みに応じた数の維持パルスを走査電極ＳＣ１〜走査電極ＳＣｎと維持電極ＳＵ１〜維持電極ＳＵｎとに交互に印加する。
【０２１６】
サブフィールドＳＦ３以降の各サブフィールドでは、維持期間Ｔｓに発生する維持パルスの数を除き、サブフィールドＳＦ２と同様の駆動電圧波形を各電極に印加する。
【０２１７】
したがって、サブフィールドＳＦ３以降の各サブフィールドにおける選択初期化期間Ｔｉ２では、維持電極ＳＵ１〜維持電極ＳＵｎには電圧Ｖｅ１よりも高い電圧Ｖｅ２（例えば、電圧Ｖｓに等しい電圧）を印加し、データ電極Ｄ１〜データ電極Ｄｍには電圧０（Ｖ）を印加する。そして、走査電極ＳＣ１〜走査電極ＳＣｎには放電開始電圧未満となる電圧（例えば、電圧０（Ｖ））から負の電圧Ｖｉ４に向かって緩やかに下降する下り傾斜波形電圧を印加する。
【０２１８】
そして、走査電極ＳＣ１〜走査電極ＳＣｎに印加する下り傾斜波形電圧が電圧Ｖｉ４に到達する前に、維持電極ＳＵ１〜維持電極ＳＵｎをハイインピーダンス状態とする。そのため、維持電極ＳＵ１〜維持電極ＳＵｎの電圧は、維持電極ＳＵ１〜維持電極ＳＵｎがハイインピーダンス状態となった後に、走査電極ＳＣ１〜走査電極ＳＣｎに印加する下り傾斜波形電圧の影響を受けて緩やかに下降する。
【０２１９】
こうして直前のサブフィールドで維持放電を起こした放電セルで微弱な初期化放電を発生させる。
【０２２０】
以上が、本実施の形態において、３Ｄ駆動時にパネル１０の各電極に印加する駆動電圧波形の概要である。
【０２２１】
次に、２Ｄ駆動時の選択初期化期間Ｔｉ２において、維持電極ＳＵ１〜維持電極ＳＵｎに印加する電圧Ｖｅ２を、３Ｄ駆動時の選択初期化期間Ｔｉ２において維持電極ＳＵ１〜維持電極ＳＵｎに印加する電圧Ｖｅ１よりも高い電圧に設定した理由について説明する。
【０２２２】
プラズマディスプレイ装置の画像表示品質を低下させる誤放電には、「誤書込み」現象や「誤初期化」現象がある。
【０２２３】
「誤書込み」現象とは、書込みパルスを印加していない放電セルであるにもかかわらず、隣接する放電セルに発生する書込み放電に誘発されて書込み放電が発生する現象である。
【０２２４】
「誤初期化」現象とは、書込み放電が発生していない放電セルであるにもかかわらず、維持放電が発生する現象である。
【０２２５】
これらの誤放電の発生頻度や、誤放電が発生したときにその誤放電が使用者にどの程度認識されるか（誤放電の目立ちやすさ）は、サブフィールド構成に依存することが確認されている。
【０２２６】
誤書込み現象には、次のような傾向がある。
【０２２７】
書込み放電が発生しない放電セル内に、隣接する放電セルに発生する維持放電の影響により異常な壁電荷（異常電荷）が蓄積する。異常電荷が増加すると、隣接する放電セルで書込み放電が発生したときに誤書込みが発生する確率が高くなる。そのため、誤書込み現象は、フィールドの後半のサブフィールドの書込み期間に発生しやすいという傾向がある。そして、誤書込みが発生した放電セルでは、続く維持期間に維持放電が発生する。
【０２２８】
一方、誤初期化現象には、次のような傾向がある。
【０２２９】
強制初期化動作時に強い放電を発生すると、その放電セルには異常電荷が蓄積する。そして、この異常電荷が増加した放電セルでは、書込み放電が発生していないにもかかわらず維持放電が発生する。そのため、誤初期化現象は、フィールドの前半のサブフィールドの維持期間に発生しやすいという傾向がある。
【０２３０】
図７Ａは、本発明の一実施の形態におけるプラズマディスプレイ装置４０において３Ｄ画像を表示する際に用いるコーディングテーブルの一例を示す図である。
【０２３１】
図７Ｂは、本発明の一実施の形態におけるプラズマディスプレイ装置４０において２Ｄ画像を表示する際に用いるコーディングテーブルの一例を示す図である。
【０２３２】
なお、以下、表示すべき階調の大きさと、その階調をパネル１０に表示するときの各サブフィールドの書込み動作との関係を「コーディング」と記す。コーディングテーブルとはコーディングの集合体のことである。
【０２３３】
なお、図７Ａ、図７Ｂでは、「輝度重み」を単に「重み」と記し、「階調値」を単に「階調」と記す。
【０２３４】
図７Ａ、図７Ｂに示すコーディングテーブルにおいて各サブフィールドを示す表記の直下に記された数値は、各サブフィールドの輝度重みを表す。
【０２３５】
なお、図７Ａには、サブフィールドＳＦ１からサブフィールドＳＦ５までの５つのサブフィールドを１フィールドに有し、各サブフィールドはそれぞれ「１」、「１６」、「８」、「４」、「２」の輝度重みを有するコーディングテーブルを示す。
【０２３６】
なお、図７Ｂには、サブフィールドＳＦ１からサブフィールドＳＦ１０までの５つのサブフィールドを１フィールドに有し、各サブフィールドはそれぞれ「１」、「２」、「３」、「６」、「１１」、「１８」、「３０」、「４４」、「６０」、「８１」の輝度重みを有するコーディングテーブルを示す。
【０２３７】
図７Ａ、図７Ｂに示すコーディングテーブルには、発光するサブフィールドを「１」、非発光のサブフィールドを空欄で示し、最も左の列には、各画像データにおいて表示する階調値を表す。
【０２３８】
例えば、図７Ａに示すコーディングテーブルにもとづけば、階調値「１」に対応するコーディングルは「１００００」である。
【０２３９】
したがって、階調値「１」を表示する放電セルではサブフィールドＳＦ１だけが発光する。
【０２４０】
３Ｄ駆動時におけるサブフィールド構成では、サブフィールドＳＦ１の輝度重みが最も小さく、サブフィールドＳＦ２の輝度重みが最も大きく、それ以降は輝度重みが順次小さくなるように各サブフィールドに輝度重みを設定する。
【０２４１】
そのため、フィールドの後半のサブフィールドで誤書込み現象が発生しても、使用者には比較的認識されにくい。また、誤書込み現象そのものも比較的発生しにくい。
【０２４２】
しかしながら、フィールドの前半のサブフィールドは輝度重みが大きいので、誤初期化現象が発生すると使用者に比較的認識されやすい。そのため、誤初期化現象が発生すると画像表示品質が低下するおそれがある。
【０２４３】
このことから、本実施の形態においては、３Ｄ駆動時の強制初期化期間Ｔｉ１の後半および選択初期化期間Ｔｉ２において、維持電極ＳＵ１〜維持電極ＳＵｎに印加する電圧Ｖｅ１を電圧Ｖｅ２よりも低い電圧に設定している。これにより、３Ｄ駆動時には、走査電極２２と維持電極２３との間に発生する放電を抑制し、誤初期化現象の発生を抑制している。
【０２４４】
２Ｄ駆動時におけるサブフィールド構成では、サブフィールドＳＦ１の輝度重みが最も小さく、それ以降は輝度重みが順次大きくなるように各サブフィールドに輝度重みを設定する。そのため、誤初期化現象が発生しても、使用者には比較的認識されにくい。
【０２４５】
しかしながら、フィールドの後半のサブフィールドは輝度重みが大きいので、誤書込み現象が発生すると使用者に比較的認識されやすい。そのため、誤書込み現象が発生すると画像表示品質が低下するおそれがある。
【０２４６】
このことから、本実施の形態においては、２Ｄ駆動時の選択初期化期間Ｔｉ２において、維持電極ＳＵ１〜維持電極ＳＵｎに印加する電圧Ｖｅ２を電圧Ｖｅ１よりも高い電圧に設定している。これにより、選択初期化期間Ｔｉ２に発生する初期化放電の放電強度を上げ、維持期間に蓄積する異常電荷をより多く消去するようにしている。こうして、２Ｄ駆動時には誤書込み現象の発生を抑制している。
【０２４７】
以上示したように、本実施の形態における維持電極駆動回路４４は、２Ｄ駆動時に選択初期化期間Ｔｉ２に維持電極ＳＵ１〜維持電極ＳＵｎに印加する電圧Ｖｅ２を、３Ｄ駆動時に選択初期化期間Ｔｉ２に維持電極ＳＵ１〜維持電極ＳＵｎに印加する電圧Ｖｅ１よりも高い電圧に設定している。
【０２４８】
例えば、この電圧Ｖｅ２は、維持期間Ｔｓに走査電極ＳＣ１〜走査電極ＳＵｎおよび維持電極ＳＵ１〜維持電極ＳＵｎに印加する維持パルスの高圧側の電圧Ｖｓに等しい電圧である。
【０２４９】
電圧Ｖｅ２が高くなれば、選択初期化期間Ｔｉ２に発生する初期化放電の放電強度が上がる。例えば、電圧Ｖｅ２が高すぎて選択初期化期間Ｔｉ２に発生する初期化放電の放電強度が強くなりすぎると、以降の書込み放電が不安定になる。そこで、図６には、電圧Ｖｅ２が電圧Ｖｓと等しい電圧であり、適切と考えられる電圧よりも高すぎるときに、選択初期化期間Ｔｉ２の途中から維持電極ＳＵ１〜維持電極ＳＵｎをハイインピーダンス状態にして、維持電極ＳＵ１〜維持電極ＳＵｎに印加する電圧を電圧Ｖｅ２から低下させる例を示した。
【０２５０】
しかし、本発明はなんらこの構成に限定されるものではない。電圧Ｖｅ２が、適切な初期化放電を発生させるのに適した電圧であれば、選択初期化期間Ｔｉ２の途中から維持電極ＳＵ１〜維持電極ＳＵｎをハイインピーダンス状態にして、維持電極ＳＵ１〜維持電極ＳＵｎに印加する電圧を電圧Ｖｅ２から低下させる必要はない。
【０２５１】
図８は、本発明の一実施の形態におけるプラズマディスプレイ装置４０の走査電極駆動回路４３の構成を概略的に示す回路図である。
【０２５２】
走査電極駆動回路４３は、維持パルス発生回路５５と、傾斜波形電圧発生回路６０と、走査パルス発生回路７０とを備えている。なお、各回路ブロックは、タイミング発生回路４５から供給されるタイミング信号にもとづき動作するが、図８では、タイミング信号の経路の詳細は省略する。また、走査パルス発生回路７０に入力される電圧を「基準電位Ａ」と記す。
【０２５３】
維持パルス発生回路５５は、電力回収回路５１と、スイッチング素子Ｑ５５と、スイッチング素子Ｑ５６と、スイッチング素子Ｑ５９とを有する。電力回収回路５１は、電力回収用のコンデンサＣ１０、スイッチング素子Ｑ１１、スイッチング素子Ｑ１２、逆流防止用のダイオードＤｉ１１、ダイオードＤｉ１２、共振用のインダクタＬ１１、インダクタＬ１２を有する。
【０２５４】
電力回収回路５１は、パネル１０に蓄えられた電力を、パネル１０の電極間容量とインダクタＬ１２とをＬＣ共振させてパネル１０から回収し、コンデンサＣ１０に蓄える。そして、回収した電力を、パネル１０の電極間容量とインダクタＬ１１とをＬＣ共振させてコンデンサＣ１０からパネル１０に再度供給し、走査電極ＳＣ１〜走査電極ＳＣｎを駆動するときの電力として再利用する。
【０２５５】
スイッチング素子Ｑ５５は、走査電極ＳＣ１〜走査電極ＳＣｎを電圧Ｖｓにクランプし、スイッチング素子Ｑ５６は、走査電極ＳＣ１〜走査電極ＳＣｎを電圧０（Ｖ）にクランプする。スイッチング素子Ｑ５９は分離スイッチであり、走査電極駆動回路４３を構成するスイッチング素子の寄生ダイオード等を介して電流が逆流するのを防止する。
【０２５６】
このようにして、維持パルス発生回路５５は、走査電極ＳＣ１〜走査電極ＳＣｎに印加する電圧Ｖｓの維持パルスを発生する。
【０２５７】
走査パルス発生回路７０は、スイッチング素子Ｑ７１Ｈ１〜スイッチング素子Ｑ７１Ｈｎ、スイッチング素子Ｑ７１Ｌ１〜スイッチング素子Ｑ７１Ｌｎ、スイッチング素子Ｑ７２、負の電圧Ｖａを発生する電源、電圧Ｖｐを発生する電源Ｅ７１を有する。そして、走査パルス発生回路７０の基準電位Ａに電圧Ｖｐを重畳して電圧Ｖｃ（Ｖｃ＝Ｖａ＋Ｖｐ）を発生し、電圧Ｖａと電圧Ｖｃとを切換えながら走査電極ＳＣ１〜走査電極ＳＣｎに印加することで走査パルスを発生する。例えば、電圧Ｖａ＝−２００（Ｖ）であり、電圧Ｖｐ＝１５０（Ｖ）であれば、電圧Ｖｃ＝−５０（Ｖ）となる。
【０２５８】
そして、走査パルス発生回路７０は、走査電極ＳＣ１〜走査電極ＳＣｎのそれぞれに、図４、図６に示したタイミングで走査パルスを順次印加する。なお、走査パルス発生回路７０は、維持期間では維持パルス発生回路５５の出力電圧をそのまま出力する。すなわち、基準電位Ａの電圧を走査電極ＳＣ１〜走査電極ＳＣｎへ出力する。
【０２５９】
傾斜波形電圧発生回路６０は、ミラー積分回路６１、ミラー積分回路６２、ミラー積分回路６３を備え、図４、図６に示した傾斜波形電圧を発生する。
【０２６０】
ミラー積分回路６１は、トランジスタＱ６１とコンデンサＣ６１と抵抗Ｒ６１とを有する。そして、入力端子ＩＮ６１に一定の電圧を印加する（入力端子ＩＮ６１として図示される２つの丸の間に一定の電圧差を与える）ことにより、電圧Ｖｔに向かって緩やかに上昇する上り傾斜波形電圧を発生する。
【０２６１】
なお、本実施の形態では、電圧Ｖｉ２は、電圧Ｖｔに電圧Ｖｐを重畳した電圧に等しくなるように設定する。すなわち、ミラー積分回路６１を動作させているときは、スイッチング素子Ｑ７２およびスイッチング素子Ｑ７１Ｌ１〜スイッチング素子Ｑ７１Ｌｎをオフにし、スイッチング素子Ｑ７１Ｈ１〜スイッチング素子Ｑ７１Ｈｎをオンにして、ミラー積分回路６１で発生した上り傾斜波形電圧に電源Ｅ７１の電圧Ｖｐを重畳することで上りランプ電圧Ｌ１を発生する。
【０２６２】
ミラー積分回路６２は、トランジスタＱ６２とコンデンサＣ６２と抵抗Ｒ６２と逆流防止用のダイオードＤｉ６２とを有する。そして、入力端子ＩＮ６２に一定の電圧を印加する（入力端子ＩＮ６２として図示される２つの丸の間に一定の電圧差を与える）ことにより、電圧Ｖｒに向かって緩やかに上昇する上り傾斜波形電圧（上り消去ランプ電圧Ｌ３）を発生する。
【０２６３】
ミラー積分回路６３は、トランジスタＱ６３とコンデンサＣ６３と抵抗Ｒ６３とを有する。そして、入力端子ＩＮ６３に一定の電圧を印加する（入力端子ＩＮ６３として図示される２つの丸の間に一定の電圧差を与える）ことにより、電圧Ｖｉ４に向かって緩やかに下降する下り傾斜波形電圧（下りランプ電圧Ｌ２、下りランプ電圧Ｌ４）を発生する。
【０２６４】
なお、スイッチング素子Ｑ６９は分離スイッチであり、走査電極駆動回路４３を構成するスイッチング素子の寄生ダイオード等を介して電流が逆流するのを防止する。
【０２６５】
なお、これらのスイッチング素子およびトランジスタは、ＭＯＳＦＥＴやＩＧＢＴ等の一般に知られた半導体素子を用いて構成することができる。また、これらのスイッチング素子およびトランジスタは、タイミング発生回路４５で発生したそれぞれのスイッチング素子およびトランジスタに対応するタイミング信号により制御される。
【０２６６】
図９は、本発明の実施の形態１におけるプラズマディスプレイ装置４０の維持電極駆動回路４４の構成を概略的に示す回路図である。
【０２６７】
維持電極駆動回路４４は、維持パルス発生回路８０と、一定電圧発生回路８５とを備えている。なお、各回路ブロックは、タイミング発生回路４５から供給されるタイミング信号にもとづき動作するが、図９では、タイミング信号の経路の詳細は省略する。
【０２６８】
維持パルス発生回路８０は、電力回収回路８１と、スイッチング素子Ｑ８３と、スイッチング素子Ｑ８４とを有する。電力回収回路８１は、電力回収用のコンデンサＣ２０、スイッチング素子Ｑ２１、スイッチング素子Ｑ２２、逆流防止用のダイオードＤｉ２１、ダイオードＤｉ２２、共振用のインダクタＬ２１、インダクタＬ２２を有する。
【０２６９】
電力回収回路８１は、パネル１０に蓄えられた電力を、パネル１０の電極間容量とインダクタＬ２２とをＬＣ共振させてパネル１０から回収し、コンデンサＣ２０に蓄える。そして、回収した電力を、パネル１０の電極間容量とインダクタＬ２１とをＬＣ共振させてコンデンサＣ２０からパネル１０に再度供給し、維持電極ＳＵ１〜維持電極ＳＵｎを駆動するときの電力として再利用する。
【０２７０】
スイッチング素子Ｑ８３は維持電極ＳＵ１〜維持電極ＳＵｎを電圧Ｖｓにクランプし、スイッチング素子Ｑ８４は維持電極ＳＵ１〜維持電極ＳＵｎを電圧０（Ｖ）にクランプする。
【０２７１】
このようにして、維持パルス発生回路８０は、走査電極ＳＣ１〜走査電極ＳＣｎに印加する電圧Ｖｓの維持パルスを発生する。
【０２７２】
一定電圧発生回路８５は、スイッチング素子Ｑ８６、スイッチング素子Ｑ８７を有する。そして、維持電極ＳＵ１〜維持電極ＳＵｎに電圧Ｖｅを印加する。
【０２７３】
なお、これらのスイッチング素子は、ＭＯＳＦＥＴやＩＧＢＴ等の一般に知られた素子を用いて構成することができる。またこれらのスイッチング素子は、タイミング発生回路４５で発生したそれぞれのスイッチング素子に対応するタイミング信号により制御される。
【０２７４】
なお、維持電極ＳＵ１〜維持電極ＳＵｎをハイインピーダンス状態にするときには、維持電極駆動回路４４が有する全てのスイッチング素子を遮断状態（オフ）にすればよい。
【０２７５】
図１０は、本発明の実施の形態１におけるプラズマディスプレイ装置４０のデータ電極駆動回路４２の構成を概略的に示す回路図である。
【０２７６】
なお、データ電極駆動回路４２は、画像信号処理回路４１から供給される画像データおよびタイミング発生回路４５から供給されるタイミング信号にもとづき動作するが、図１０では、それらの信号の経路の詳細は省略する。
【０２７７】
データ電極駆動回路４２は、スイッチング素子Ｑ９１Ｈ１〜スイッチング素子Ｑ９１Ｈｍ、スイッチング素子Ｑ９１Ｌ１〜スイッチング素子Ｑ９１Ｌｍを有する。そしてスイッチング素子Ｑ９１Ｌｊをオンにすることでデータ電極Ｄｊに電圧０（Ｖ）を印加し、スイッチング素子Ｑ９１Ｈｊをオンにすることでデータ電極Ｄｊに電圧Ｖｄを印加する。
【０２７８】
なお、本発明は１フィールドを構成するサブフィールドの数、強制初期化サブフィールドとするサブフィールド、各サブフィールドが有する輝度重み等が上述した数値に限定されるものではない。また、画像信号等にもとづいてサブフィールド構成を切り換える構成であってもよい。
【０２７９】
なお、図４、図５、図６に示した駆動電圧波形は本発明の実施の形態における一例を示したものに過ぎず、本発明は何らこの駆動電圧波形に限定されるものではない。
【０２８０】
また、図３、図８、図９、図１０に示した回路構成も本発明の実施の形態における一例を示したものに過ぎず、本発明は何らこれらの回路構成に限定されるものではない。
【０２８１】
なお、本発明における実施の形態に示した各回路ブロックは、実施の形態に示した各動作を行う電気回路として構成されてもよく、あるいは、同様の動作をするようにプログラミングされたマイクロコンピュータ等を用いて構成されてもよい。
【０２８２】
なお、本発明における実施の形態では、１つのフィールドを、５個のサブフィールドまたは１０個のサブフィールドで構成する例を説明した。しかし、本発明は１フィールドを構成するサブフィールドの数が何ら上記の数に限定されるものではない。例えば、サブフィールドの数をより多くすることで、パネル１０に表示できる階調の数をさらに増加することができる。あるいは、サブフィールドの数をより少なくすることで、パネル１０の駆動に要する時間を短縮することができる。
【０２８３】
なお、本発明における実施の形態では、１画素を赤、緑、青の３色の放電セルで構成する例を説明したが、１画素を４色あるいはそれ以上の色の放電セルで構成するパネルにおいても、本発明における実施の形態に示した構成を適用することは可能であり、同様の効果を得ることができる。
【０２８４】
なお、本発明の実施の形態において示した具体的な数値は、画面サイズが５０インチ、表示電極対２４の数が１０２４のパネル１０の特性にもとづき設定したものであって、単に実施の形態における一例を示したものに過ぎない。本発明はこれらの数値に何ら限定されるものではなく、各数値はパネルの仕様やパネルの特性、およびプラズマディスプレイ装置の仕様等にあわせて最適に設定することが望ましい。また、これらの各数値は、上述した効果を得られる範囲でのばらつきを許容するものとする。また、１フィールドを構成するサブフィールドの数や各サブフィールドの輝度重み等も本発明における実施の形態に示した値に限定されるものではなく、また、画像信号等にもとづいてサブフィールド構成を切り換える構成であってもよい。
【産業上の利用可能性】
【０２８５】
本発明は、３Ｄ画像表示装置として使用可能なプラズマディスプレイ装置において、シャッタ眼鏡を通して表示画像を観賞する使用者に対して右目用画像と左目用画像との間に生じるクロストークを低減し、安定に放電を発生させて品質の高い３Ｄ画像を実現することができるので、パネルの駆動方法およびプラズマディスプレイ装置として有用である。
【符号の説明】
【０２８６】
１０    パネル
２１    前面基板
２２    走査電極
２３    維持電極
２４    表示電極対
２５，３３    誘電体層
２６    保護層
３１    背面基板
３２    データ電極
３４    隔壁
３５，３５Ｒ，３５Ｇ，３５Ｂ    蛍光体層
４０    プラズマディスプレイ装置
４１    画像信号処理回路
４２    データ電極駆動回路
４３    走査電極駆動回路
４４    維持電極駆動回路
４５    タイミング発生回路
４６    制御信号出力部
５０    シャッタ眼鏡
５１，８１    電力回収回路
５２Ｒ    右目用シャッタ
５２Ｌ    左目用シャッタ
５５，８０    維持パルス発生回路
６０    傾斜波形電圧発生回路
６１，６２，６３    ミラー積分回路
７０    走査パルス発生回路
８５    一定電圧発生回路
Ｄｉ１１，Ｄｉ１２，Ｄｉ２１，Ｄｉ２２，Ｄｉ６２    ダイオード
Ｌ１１，Ｌ１２，Ｌ２１，Ｌ２２    インダクタ
Ｑ１１，Ｑ１２，Ｑ２１，Ｑ２２，Ｑ５，Ｑ６，Ｑ５５，Ｑ５６，Ｑ５９，Ｑ６９，Ｑ７２，Ｑ８３，Ｑ８４，Ｑ８６，Ｑ８７，Ｑ７１Ｈ１〜Ｑ７１Ｈｎ，Ｑ７１Ｌ１〜Ｑ７１Ｌｎ，Ｑ９１Ｈ１〜Ｑ９１Ｈｍ，Ｑ９１Ｌ１〜Ｑ９１Ｌｍ    スイッチング素子
Ｃ１０，Ｃ２０，Ｃ６１，Ｃ６２，Ｃ６３    コンデンサ
Ｒ６１，Ｒ６２，Ｒ６３，Ｒ９，Ｒ１２，Ｒ１３    抵抗
Ｑ６１，Ｑ６２，Ｑ６３    トランジスタ
ＩＮ６１，ＩＮ６２，ＩＮ６３    入力端子
Ｅ７１    電源
【図１】
2012102042.tif 000003
【図２】
2012102042.tif 000004
【図３】
2012102042.tif 000005
【図４】
2012102042.tif 000006
【図５】
2012102042.tif 000007
【図６】
2012102042.tif 000008
【図７Ａ】
2012102042.tif 000009
【図７Ｂ】
2012102042.tif 000010
【図８】
2012102042.tif 000011
【図９】
2012102042.tif 000012
【図１０】
2012102042.tif 000013
【手続補正書】
【提出日】平成25年1月22日(2013.1.22)
【手続補正１】
【補正対象書類名】明細書
【補正対象項目名】００５６
【補正方法】変更
【補正の内容】
【００５６】
また、プラズマディスプレイ装置４０は、使用者が使用するシャッタ眼鏡５０の右目用シャッタ５２Ｒおよび左目用シャッタ５２Ｌの開閉を制御するシャッタ開閉用の制御信号（以下、「シャッタ制御信号」とも記す）をシャッタ眼鏡５０に出力する制御信号出力部４６を備えている。シャッタ眼鏡５０は、３Ｄ画像をパネル１０に表示するときに使用者が使用するものであり、使用者はシャッタ眼鏡５０を通して３Ｄ画像を観賞することで３Ｄ画像を立体視することができる。
【手続補正２】
【補正対象書類名】明細書
【補正対象項目名】００６２
【補正方法】変更
【補正の内容】
【００６２】
また、タイミング発生回路４５は、３Ｄ画像をパネル１０に表示する際に、シャッタ眼鏡５０の右目用シャッタ５２Ｒおよび左目用シャッタ５２Ｌの開閉を制御するシャッタ開閉用の制御信号を制御信号出力部４６に出力する。なお、タイミング発生回路４５は、シャッタ眼鏡５０のシャッタを開く（可視光を透過する状態にする）ときにはシャッタ開閉用の制御信号をオン（「１」）にし、シャッタ眼鏡５０のシャッタを閉じる（可視光を遮断する状態にする）ときにはシャッタ開閉用の制御信号をオフ（「０」）にする。
【手続補正３】
【補正対象書類名】明細書
【補正対象項目名】００６８
【補正方法】変更
【補正の内容】
【００６８】
制御信号出力部４６は、ＬＥＤ（Ｌｉｇｈｔ Ｅｍｉｔｔｉｎｇ Ｄｉｏｄｅ）等の発光素子を有する。そして、シャッタ眼鏡５０が有する右目用シャッタ５２Ｒおよび左目用シャッタ５２Ｌの開閉を制御するシャッタ制御信号を出力する。具体的には、シャッタ制御信号を、例えば赤外線の信号に変換してシャッタ眼鏡５０に供給する。
【手続補正４】
【補正対象書類名】明細書
【補正対象項目名】０２３６
【補正方法】変更
【補正の内容】
【０２３６】
なお、図７Ｂには、サブフィールドＳＦ１からサブフィールドＳＦ１０までの１０のサブフィールドを１フィールドに有し、各サブフィールドはそれぞれ「１」、「２」、「３」、「６」、「１１」、「１８」、「３０」、「４４」、「６０」、「８１」の輝度重みを有するコーディングテーブルを示す。
【手続補正５】
【補正対象書類名】明細書
【補正対象項目名】０２３８
【補正方法】変更
【補正の内容】
【０２３８】
例えば、図７Ａに示すコーディングテーブルにもとづけば、階調値「１」に対応するコーディングは「１００００」である。
【国際調査報告】
2012102042.tif 000014
2012102042.tif 000015
2012102042.tif 000016
2012102042.tif 000017